(57)【特許請求の範囲】
【請求項１】
画像提供装置と携帯端末がネットワークを介して管理サーバに接続されることによって構成される情報管理システムにおいて、
前記管理サーバは、
前記画像提供装置を利用する利用者の前記携帯端末の位置を表す位置情報を、前記携帯端末と通信を行うことによって前記携帯端末から受信する通信手段と、
前記通信手段により受信された前記位置情報を、前記画像提供装置の位置を表す情報として管理する管理手段と
を備え、
前記画像提供装置は、
前記携帯端末の利用者を被写体として撮影する撮影手段と、
前記管理サーバとの間で通信を行い、前記撮影手段による撮影によって得られた前記画像、前記画像の識別情報、および自身の識別情報を送信する第１の通信手段と、
前記携帯端末と近接通信を行い、前記画像の識別情報を送信する第２の通信手段と
を備え、
前記携帯端末は、
位置を測定する測位手段と、
前記画像提供装置と近接通信を行い、前記画像提供装置から送信されてきた前記画像の識別情報を受信する第１の通信手段と、
前記管理サーバとの間で通信を行い、前記位置情報と、前記第１の通信手段により受信された前記画像の識別情報とを送信する第２の通信手段と
を備え、
前記管理サーバの前記通信手段は、前記画像提供装置から送信されてきた、前記画像、前記画像の識別情報、および前記画像提供装置の識別情報を受信し、前記携帯端末から送信されてきた、前記位置情報と前記画像の識別情報を受信し、
前記管理サーバの前記管理手段は、前記携帯端末から送信されてきた前記位置情報を、前記携帯端末から送信されてきた前記画像の識別情報と同じ情報とともに前記画像提供装置から送信されてきた前記画像提供装置の識別情報と紐付けて管理する
情報管理システム。
【請求項２】
前記管理サーバは、前記画像提供装置から送信されてきた前記画像を記憶する記憶手段をさらに備え、
前記管理サーバの前記通信手段は、前記画像の保存場所を表す情報を前記携帯端末に送信し、
前記携帯端末の前記第２の通信手段は、前記管理サーバから送信されてきた前記画像の保存場所を表す情報を受信する
請求項１に記載の情報管理システム。
【請求項３】
画像提供装置と携帯端末がネットワークを介して管理サーバに接続されることによって構成される情報管理システムにおいて、
前記管理サーバは、
前記画像提供装置を利用する利用者の前記携帯端末の位置を表す位置情報を、前記携帯端末と通信を行うことによって前記携帯端末から受信する通信手段と、
前記通信手段により受信された前記位置情報を、前記画像提供装置の位置を表す情報として管理する管理手段と
を備え、
前記画像提供装置は、
前記携帯端末の利用者を被写体として撮影する撮影手段と、
前記管理サーバとの間で通信を行い、前記撮影手段による撮影によって得られた前記画像、前記画像の識別情報、前記画像の撮影日時、および自身の識別情報を送信する通信手段と
を備え、
前記携帯端末は、
測位を繰り返し行う測位手段と、
前記測位手段により繰り返し測位が行われることによって得られたそれぞれの前記位置情報を、測位日時と対応付けて記憶する記憶手段と、
前記管理サーバとの間で通信を行う通信手段と
を備え、
前記管理サーバの前記通信手段は、前記画像提供装置から送信されてきた、前記画像、前記画像の識別情報、前記画像の撮影日時、および前記画像提供装置の識別情報を受信し、前記画像の識別情報と前記画像の撮影日時を前記携帯端末に送信し、
前記携帯端末の前記通信手段は、前記管理サーバから送信されてきた前記画像の識別情報と前記画像の撮影日時を受信し、前記記憶手段に記憶されている前記位置情報のうち、前記画像の撮影日時に近い測位時刻の測位によって得られた前記位置情報を前記画像の識別情報とともに前記管理サーバに送信し、
前記管理サーバの前記通信手段は、さらに、前記携帯端末から送信されてきた前記位置情報と前記画像の識別情報を受信し、
前記管理サーバの前記管理手段は、前記携帯端末から送信されてきた前記位置情報を、前記携帯端末から送信されてきた前記画像の識別情報と同じ情報とともに前記画像提供装置から送信されてきた前記画像提供装置の識別情報と紐付けて管理する
情報管理システム。
【請求項４】
前記管理サーバは、前記画像提供装置から送信されてきた前記画像を記憶する記憶手段をさらに備え、
前記管理サーバの前記通信手段は、前記画像の保存場所を表す情報を前記携帯端末に送信し、
前記携帯端末の前記通信手段は、前記管理サーバから送信されてきた前記画像の保存場所を表す情報を受信する
請求項３に記載の情報管理システム。
【請求項５】
画像提供装置と携帯端末がネットワークを介して管理サーバに接続されることによって構成される情報管理システムにおいて、
前記管理サーバは、
前記画像提供装置を利用する利用者の前記携帯端末の位置を表す位置情報を、前記携帯端末と通信を行うことによって前記携帯端末から受信する通信手段と、
前記通信手段により受信された前記位置情報を、前記画像提供装置の位置を表す情報として管理する管理手段と
を備え、
前記画像提供装置は、
前記携帯端末の利用者を被写体として撮影する撮影手段と、
前記管理サーバとの間で通信を行い、前記撮影手段による撮影によって得られた前記画像、前記画像の識別情報、前記画像の撮影日時、および自身の識別情報を送信する通信手段と
を備え、
前記携帯端末は、
測位を繰り返し行う測位手段と、
前記測位手段により繰り返し測位が行われることによって得られたそれぞれの前記位置情報を、測位日時と対応付けて記憶する記憶手段と、
前記管理サーバとの間で通信を行う通信手段と
を備え、
前記管理サーバの前記通信手段は、前記画像提供装置から送信されてきた、前記画像、前記画像の識別情報、前記画像の撮影日時、および前記画像提供装置の識別情報を受信し、前記画像提供装置の識別情報と前記画像の撮影日時を前記携帯端末に送信し、
前記携帯端末の前記通信手段は、前記管理サーバから送信されてきた前記画像提供装置の識別情報と前記画像の撮影日時を受信し、前記記憶手段に記憶されている前記位置情報のうち、前記画像の撮影日時に近い測位時刻の測位によって得られた前記位置情報を前記画像提供装置の識別情報とともに前記管理サーバに送信し、
前記管理サーバの前記通信手段は、さらに、前記携帯端末から送信されてきた前記位置情報と前記画像提供装置の識別情報を受信し、
前記管理サーバの前記管理手段は、前記携帯端末から送信されてきた前記位置情報を、前記携帯端末から送信されてきた前記画像提供装置の識別情報と紐付けて管理する
情報管理システム。
【発明の詳細な説明】
【技術分野】
【０００１】
本発明は、情報管理システムに関し、特に、装置の正確な設置位置を管理することができるようにした情報管理システムに関する。
【背景技術】
【０００２】
利用者を撮影し、撮影画像に対して利用者に編集を行わせ、編集後の画像をシール紙に印刷して提供する写真シール作成装置が知られている。このような写真シール作成装置は娯楽（遊戯）施設等に設置される。
【０００３】
写真シール作成装置によって提供される１ゲームの流れは、通常、撮影ブース内にいる利用者を被写体として撮影し、利用者を編集ブースに移動させ、編集ブース内で行われる操作に従って画像を編集し、編集後の画像である編集画像をシール紙に印刷して排出するという流れになる。
【０００４】
近年、携帯電話機などの携帯端末の性能が向上していることもあって、写真シール作成装置と携帯端末を連動させた付加的なサービスが各種提供されている。例えば、写真シール作成装置から携帯端末に対して撮影画像や編集画像を直接転送するサービスがある。また、写真シール作成装置からサーバに撮影画像や編集画像をアップロードしておき、後から、写真シール作成装置のメーカーが運営するサイトに携帯端末からアクセスすることによって、アップロードしておいた画像を携帯端末上で閲覧したり、携帯端末にダウンロードしたりすることができるサービスがある。
【０００５】
特許文献１には、写真シール作成装置のメンテナンス時に入力された設置店舗の名称と住所を装置IDとともに写真シール作成装置からサーバに送信し、サーバにおいて、それぞれの写真シール作成装置の設置店舗等を管理するネットワークシステムが開示されている。
【０００６】
このネットワークシステムにおいては、利用者が携帯端末を操作して直接入力した住所や、携帯端末のGPSセンサによって取得された緯度経度などの位置情報がネットワーク経由で携帯端末からサーバに送信された場合、位置情報に基づいてサーバにおいて検索が行われ、利用者の近くにある写真シール作成装置の設置店舗の名前、店舗までの距離などの情報がサーバから携帯端末に送信されるようになっている。
【先行技術文献】
【特許文献】
【０００７】
【特許文献１】特開２００４−１７８０１９号公報
【発明の概要】
【発明が解決しようとする課題】
【０００８】
特許文献１に開示されているネットワークシステムにおいては、写真シール作成装置の住所等が装置のメンテナンス時に店舗の従業員や業者によって入力されるため、人的ミス等により必ずしも正しい情報が入力されるとは限らない。従って、設置店舗の位置等をサーバ側で正確に把握できない場合があり、この場合、正確な情報を利用者に提供することができない。
【０００９】
写真シール作成装置自体にGPSセンサを搭載し、メンテナンス時などの所定のタイミングで、写真シール作成装置からサーバに位置情報が送信されるようにすることも考えられるが、一般的に、写真シール作成装置は屋内に設置されるものであり、GPSの電波状況によっては位置情報を取得できないことがある。
【００１０】
本発明はこのような状況に鑑みてなされたものであり、装置の正確な設置位置を管理することができるようにするものである。
【課題を解決するための手段】
【００１６】
本発明の第１の側面の情報管理システムは、画像提供装置と携帯端末がネットワークを介して管理サーバに接続されることによって構成される。前記管理サーバは、前記画像提供装置を利用する利用者の前記携帯端末の位置を表す位置情報を、前記携帯端末と通信を行うことによって前記携帯端末から受信する通信手段と、前記通信手段により受信された前記位置情報を、前記画像提供装置の位置を表す情報として管理する管理手段とを備え、前記画像提供装置は、前記携帯端末の利用者を被写体として撮影する撮影手段と、前記管理サーバとの間で通信を行い、前記撮影手段による撮影によって得られた前記画像、前記画像の識別情報、および自身の識別情報を送信する第１の通信手段と、前記携帯端末と近接通信を行い、前記画像の識別情報を送信する第２の通信手段とを備え、前記携帯端末は、位置を測定する測位手段と、前記画像提供装置と近接通信を行い、前記画像提供装置から送信されてきた前記画像の識別情報を受信する第１の通信手段と、前記管理サーバとの間で通信を行い、前記位置情報と、前記第１の通信手段により受信された前記画像の識別情報とを送信する第２の通信手段とを備える。前記管理サーバの前記通信手段は、前記画像提供装置から送信されてきた、前記画像、前記画像の識別情報、および前記画像提供装置の識別情報を受信し、前記携帯端末から送信されてきた、前記位置情報と前記画像の識別情報を受信し、前記管理サーバの前記管理手段は、前記携帯端末から送信されてきた前記位置情報を、前記携帯端末から送信されてきた前記画像の識別情報と同じ情報とともに前記画像提供装置から送信されてきた前記画像提供装置の識別情報と紐付けて管理する。
【００１７】
前記管理サーバには、前記画像提供装置から送信されてきた前記画像を記憶する記憶手段をさらに設け、前記管理サーバの前記通信手段には、前記画像の保存場所を表す情報を前記携帯端末に送信させ、前記携帯端末の前記第２の通信手段には、前記管理サーバから送信されてきた前記画像の保存場所を表す情報を受信させることができる。
【００１８】
本発明の第２の側面の情報管理システムは、画像提供装置と携帯端末がネットワークを介して管理サーバに接続されることによって構成される。前記管理サーバは、前記画像提供装置を利用する利用者の前記携帯端末の位置を表す位置情報を、前記携帯端末と通信を行うことによって前記携帯端末から受信する通信手段と、前記通信手段により受信された前記位置情報を、前記画像提供装置の位置を表す情報として管理する管理手段とを備え、前記画像提供装置は、前記携帯端末の利用者を被写体として撮影する撮影手段と、前記管理サーバとの間で通信を行い、前記撮影手段による撮影によって得られた前記画像、前記画像の識別情報、前記画像の撮影日時、および自身の識別情報を送信する通信手段とを備え、前記携帯端末は、測位を繰り返し行う測位手段と、前記測位手段により繰り返し測位が行われることによって得られたそれぞれの前記位置情報を、測位日時と対応付けて記憶する記憶手段と、前記管理サーバとの間で通信を行う通信手段とを備える。前記管理サーバの前記通信手段は、前記画像提供装置から送信されてきた、前記画像、前記画像の識別情報、前記画像の撮影日時、および前記画像提供装置の識別情報を受信し、前記画像の識別情報と前記画像の撮影日時を前記携帯端末に送信し、前記携帯端末の前記通信手段は、前記管理サーバから送信されてきた前記画像の識別情報と前記画像の撮影日時を受信し、前記記憶手段に記憶されている前記位置情報のうち、前記画像の撮影日時に近い測位時刻の測位によって得られた前記位置情報を前記画像の識別情報とともに前記管理サーバに送信し、前記管理サーバの前記通信手段は、さらに、前記携帯端末から送信されてきた前記位置情報と前記画像の識別情報を受信し、前記管理サーバの前記管理手段は、前記携帯端末から送信されてきた前記位置情報を、前記携帯端末から送信されてきた前記画像の識別情報と同じ情報とともに前記画像提供装置から送信されてきた前記画像提供装置の識別情報と紐付けて管理する。
【００１９】
前記管理サーバには、前記画像提供装置から送信されてきた前記画像を記憶する記憶手段をさらに設け、前記管理サーバの前記通信手段には、前記画像の保存場所を表す情報を前記携帯端末に送信させ、前記携帯端末の前記通信手段には、前記管理サーバから送信されてきた前記画像の保存場所を表す情報を受信させることができる。
【００２０】
本発明の第３の側面の情報管理システムは、画像提供装置と携帯端末がネットワークを介して管理サーバに接続されることによって構成される。前記管理サーバは、前記画像提供装置を利用する利用者の前記携帯端末の位置を表す位置情報を、前記携帯端末と通信を行うことによって前記携帯端末から受信する通信手段と、前記通信手段により受信された前記位置情報を、前記画像提供装置の位置を表す情報として管理する管理手段とを備え、前記画像提供装置は、前記携帯端末の利用者を被写体として撮影する撮影手段と、前記管理サーバとの間で通信を行い、前記撮影手段による撮影によって得られた前記画像、前記画像の識別情報、前記画像の撮影日時、および自身の識別情報を送信する通信手段とを備え、前記携帯端末は、測位を繰り返し行う測位手段と、前記測位手段により繰り返し測位が行われることによって得られたそれぞれの前記位置情報を、測位日時と対応付けて記憶する記憶手段と、前記管理サーバとの間で通信を行う通信手段とを備える。前記管理サーバの前記通信手段は、前記画像提供装置から送信されてきた、前記画像、前記画像の識別情報、前記画像の撮影日時、および前記画像提供装置の識別情報を受信し、前記画像提供装置の識別情報と前記画像の撮影日時を前記携帯端末に送信し、前記携帯端末の前記通信手段は、前記管理サーバから送信されてきた前記画像提供装置の識別情報と前記画像の撮影日時を受信し、前記記憶手段に記憶されている前記位置情報のうち、前記画像の撮影日時に近い測位時刻の測位によって得られた前記位置情報を前記画像提供装置の識別情報とともに前記管理サーバに送信し、前記管理サーバの前記通信手段は、さらに、前記携帯端末から送信されてきた前記位置情報と前記画像提供装置の識別情報を受信し、前記管理サーバの前記管理手段は、前記携帯端末から送信されてきた前記位置情報を、前記携帯端末から送信されてきた前記画像提供装置の識別情報と紐付けて管理する
【００２１】
本発明においては、管理サーバにより、前記携帯端末の位置を表す位置情報が、前記携帯端末から受信され、受信された前記位置情報が、前記画像提供装置の位置を表す情報として管理される。
【発明の効果】
【００２２】
本発明によれば、装置の正確な設置位置を管理することができる。
【図面の簡単な説明】
【００２３】
【図１】本発明の第１の実施形態に係る情報管理システムの構成例を示す図である。
【図２】写真シール作成装置の構成例を示す斜視図である。
【図３】写真シール作成装置を他の角度からみた斜視図である。
【図４】利用者の移動について説明する図である。
【図５】撮影ユニットの前方ユニットの正面の構成例を示す図である。
【図６】編集ユニットの側面の構成例を示す図である。
【図７】編集ユニットの他の側面の構成例を示す図である。
【図８】写真シール作成装置の内部の構成例を示すブロック図である。
【図９】制御部の機能構成例を示すブロック図である。
【図１０】管理サーバの構成例を示すブロック図である。
【図１１】管理サーバの機能構成例を示すブロック図である。
【図１２】携帯端末の構成例を示すブロック図である。
【図１３】図１の情報管理システムの一連の処理について説明するフローチャートである。
【図１４】本発明の第２の実施形態に係る情報管理システムの構成例を示す図である。
【図１５】図１４の情報管理システムの一連の処理について説明するフローチャートである。
【図１６】本発明の第３の実施形態に係る情報管理システムの構成例を示す図である。
【図１７】図１６の情報管理システムの一連の処理について説明するフローチャートである。
【図１８】写真シール作成装置の設置位置情報に基づいて実現されるサービスの概念を示す図である。
【図１９】写真シール作成装置が別店舗に移設された場合の例を示す図である。
【図２０】移設確認画面の例を示す図である。
【図２１】本発明の第４の実施形態に係る情報管理システムの構成例を示す図である。
【図２２】図２１の情報管理システムの一連の処理について説明するフローチャートである。
【図２３】図２１の情報管理システムの一連の処理について説明する、図２２に続くフローチャートである。
【図２４】図２１の情報管理システムにおける情報の流れの変形例を示す図である。
【発明を実施するための形態】
【００２４】
＜第１の実施の形態＞
［情報管理システムの構成］
図１は、本発明の第１の実施形態に係る情報管理システムの構成例を示す図である。
【００２５】
図１の情報管理システムは、写真シール作成装置１、携帯端末２、および管理サーバ３から構成される。携帯端末２は、写真シール作成装置１が提供するゲームを行い、シール紙を受け取る利用者が携帯している携帯電話機などの端末であり、管理サーバ３は、例えば写真シール作成装置１のメーカーが管理するサーバである。管理サーバ３においては、写真シール作成装置１の設置位置の情報が、写真シール作成装置１の筐体IDと紐付けて管理される。
【００２６】
写真シール作成装置１には、非接触型ICとの間で近接通信を行うリーダライタが設けられ、携帯端末２には非接触型ICが内蔵されている。図１の情報管理システムにおいて、写真シール作成装置１と携帯端末２の間の情報の送受信は、携帯端末２が写真シール作成装置１のリーダライタにかざされたときに、非接触型ICを用いた近接通信により行われる。写真シール作成装置１と管理サーバ３の間、携帯端末２と管理サーバ３の間の情報の送受信は、インターネットなどのネットワークを介して行われる。
【００２７】
図１の情報管理システムにおける一連の情報の流れについて説明する。
【００２８】
携帯端末２の利用者が写真シール作成装置１の設置店舗に入り、代金を投入するなどして写真シール作成装置１の利用を開始した場合、写真シール作成装置１のモニタには、筐体の所定の位置に設けられているリーダライタに携帯端末２をかざす（近接させる）ことを要求する画面が表示される。
【００２９】
その画面を確認した利用者が携帯端末２をリーダライタにかざしたとき、矢印＃１で示すように、携帯端末２は、携帯端末２が測定した緯度経度などの位置の情報である携帯端末位置情報と、携帯端末２のメールアドレスを近接通信によって写真シール作成装置１に送信する。すなわち、携帯端末２は、GPS(Global Positioning System)センサなどを用いて測位を行う機能を有する端末である。
【００３０】
携帯端末２においては、例えば所定の周期で繰り返し測位が行われており、リーダライタにかざされたとき、直前の測位によって得られた携帯端末位置情報が近接通信によってメールアドレスとともに送信される。リーダライタにかざされたときに測位が行われ、それによって得られた携帯端末位置情報が送信されるようにしてもよい。
【００３１】
携帯端末２から送信されてきた携帯端末位置情報とメールアドレスを受信した写真シール作成装置１は、シール紙を提供するまでの一連のゲームを開始し、携帯端末２の利用者の操作に応じて、撮影処理、撮影処理によって得られた画像である撮影画像の編集処理、編集処理によって得られた画像の印刷処理等を行う。携帯端末２の利用者は、印刷処理によって画像が印刷されたシール紙を受け取り、一連のゲームを終了することになる。
【００３２】
また、写真シール作成装置１は、編集処理時、矢印＃２で示すように、撮影画像の中から編集対象の画像として利用者により選択され、編集が行われた編集対象画像をサーバ送信用画像として選択し、サーバ送信用画像、サーバ送信用画像ID、筐体ID、携帯端末位置情報、および、携帯端末２のメールアドレスを管理サーバ３に送信する。
【００３３】
サーバ送信用画像IDはサーバ送信用画像のIDであり、サーバ送信用画像が選択されたときに写真シール作成装置１により設定される。筐体IDは写真シール作成装置１のIDであり、例えば製造時に写真シール作成装置１に設定されている。
【００３４】
写真シール作成装置１は、サーバ送信用画像、サーバ送信用画像ID、筐体ID、携帯端末位置情報、およびメールアドレスを送信した後、サーバ送信用画像の中から利用者により選択された携帯送信用画像のIDである携帯送信用画像IDを管理サーバ３に送信する。携帯送信用画像は管理サーバ３に保存されるサーバ送信用画像であり、画像の印刷中などに利用者により選択される。先に送信したサーバ送信用画像のうち、どの画像を携帯送信用画像として保存しておくのかが、携帯送信用画像IDによって指定されることになる。
【００３５】
管理サーバ３は、写真シール作成装置１から送信されてきた各種の情報を受信し、携帯端末位置情報を写真シール作成装置１の設置位置情報とし、写真シール作成装置１の筐体IDと紐付けて保存（記憶）し、管理する。また、管理サーバ３は、サーバ送信用画像のうち、携帯送信用画像として選択された画像を携帯送信用画像IDに基づいて特定し、保存する。
【００３６】
管理サーバ３は、矢印＃３で示すように、携帯送信用画像の保存場所を表すURL(Uniform Resource Locator)である保存先URLを含む電子メールを、写真シール作成装置１から送信されてきたメールアドレスに基づいて携帯端末２に送信する。
【００３７】
管理サーバ３から送信されてきた電子メールを受信した携帯端末２は、電子メールに含まれる保存先URLに基づいて携帯送信用画像の保存場所にアクセスし、携帯送信用画像を表示したり、ダウンロードしたりする。写真シール作成装置１と管理サーバ３により、写真シール作成装置１のゲーム中に作成した画像を管理サーバ３にアップロードしておき、後から管理サーバ３にアクセスして閲覧したりダウンロードしたりする機能である携帯送信の機能が実現される。
【００３８】
図１の情報管理システムにおいては、以上のようにして、写真シール作成装置１の筐体IDと携帯端末２により測定された携帯端末位置情報が管理サーバ３により取得され、紐付けて管理される。
【００３９】
これにより、管理サーバ３は、写真シール作成装置１の正確な設置位置の情報を得ることが可能になる。また、写真シール作成装置１の管理者は、写真シール作成装置１を店舗に設置したときにその設置位置を管理サーバ３に登録する必要がない。図１の情報管理システムにおける情報の一連の流れについては、フローチャートを参照して後に詳述する。
【００４０】
［写真シール作成装置１の構成］
図２は、写真シール作成装置１の構成例を示す斜視図である。
【００４１】
写真シール作成装置１は、撮影や編集等の作業を利用者にゲームとして行わせ、撮影画像や編集済み画像を提供する代わりに利用者より代金を受け取るゲーム機（画像提供装置）である。写真シール作成装置１はゲームセンタなどの店舗に設置される。利用者は１人であることもあるし、複数人であることもある。
【００４２】
写真シール作成装置１が提供する写真シール作成ゲームにおいて、利用者は、代金を投入し、自身が被写体となって撮影を行い、撮影によって得られた撮影画像の中から編集対象画像を選択し、編集対象画像に対して、背景や前景となるフレーム画像、手書きの線画やスタンプ画像を合成する編集機能を用いて編集を行うことにより、撮影画像を彩り豊かな画像にする。ゲーム終了後、利用者は、編集済み画像が印刷されたシール紙を受け取ることになる。
【００４３】
図２に示すように、写真シール作成装置１の筐体１０は、主に、撮影ユニット１２、編集ユニット１３、天井ストロボユニット１４、および背景カーテンユニット１５から構成される。
【００４４】
撮影ユニット１２は、利用者を被写体として撮影する機能を有するユニットである。撮影ユニット１２の内部の撮影空間において撮影が行われる。撮影ユニット１２は、大きく前方ユニット１２Ａと後方ユニット１２Ｂに分けられる。
【００４５】
前方ユニット１２Ａは、撮影空間の前方側となるユニットであり、撮影に関する処理を行ったり、利用者による操作を受け付けたりする。前方ユニット１２Ａの側面には、外付けモニタ１６、スピーカ１７、タッチペン１８ａ，１８ｂが設けられる。外付けモニタ１６の下方には硬貨投入口５５と非接触型ICリーダライタ１９が設けられる。後方ユニット１２Ｂは撮影空間の後方側となる壁状のユニットである。
【００４６】
編集ユニット１３は、利用者が撮影画像に対して編集等を行うための構成が設けられるユニットである。２組の利用者が同時に編集作業を行うことができるように、編集等を行うための構成が編集ユニット１３の２つの面のそれぞれに設けられる。写真シール作成装置１は、ある利用者に写真シール作成ゲームを行わせることと、他の利用者に写真シール作成ゲームを行わせることを並列的に実行することができる。
【００４７】
撮影空間の上方に設けられる天井ストロボユニット１４は、撮影タイミングに合わせて撮影空間内に向けてフラッシュを発光するストロボを内蔵する。天井ストロボユニット１４の内部には蛍光灯が配置されており、撮影空間の照明としても機能する。
【００４８】
後方ユニット１２Ｂの上部には、背景に利用する可動式のカーテン（背景カーテン）が収納された背景カーテンユニット１５が設けられている。背景カーテンユニット１５には、色または柄の異なる巻き取り式のカーテンが複数収納されている。背景カーテンユニット１５は、前方ユニット１２Ａに設けられたカメラやストロボ等の撮影機能と連動して動作し、撮影の際に、例えば利用者により選択された色のカーテンを下ろし、その他のカーテンを巻き取る。
【００４９】
前方ユニット１２Ａの側面に設けられる外付けモニタ１６は、撮影空間で撮影が行われている場合に、次に撮影空間を利用するために撮影空間の外で待機している利用者や、写真シール作成装置１の傍を通りかかった人に対して、ゲームの進行状況を示す映像を表示したり、ゲームの流れや遊び方等を案内する映像（デモンストレーション）を表示したり、写真シール作成装置１が設置されている店舗や地域の広告等を表示したりする。外付けモニタ１６はタブレット内蔵モニタであり、事前接客処理に関する画面を表示し、利用者による選択操作を受け付ける。
【００５０】
スピーカ１７は、外付けモニタ１６の表示に合わせた音声を出力する。
【００５１】
タッチペン１８ａ，１８ｂは事前接客作業を行う利用者により用いられる。利用者は、タッチペン１８（タッチペン１８ａ，１８ｂ）によって外付けモニタ１６をタップしたり、外付けモニタ１６上を移動させたりすることにより、各種の項目を選択することができる。タッチペンを２本用意しておくことにより、事前接客作業における選択操作を２人の利用者が同時に行うことが可能になる。
【００５２】
非接触型ICリーダライタ１９は、利用者により携帯端末２がかざされ、携帯端末２に内蔵されている非接触型ICが通信範囲内にある場合、非接触型ICとの間で近接通信を行い、非接触型ICに記憶されている情報を読み出したり、非接触型ICに情報を書き込んだりする。
【００５３】
図３は、写真シール作成装置１を別の角度から見た斜視図である。
【００５４】
編集ユニット１３は、前方ユニット１２Ａの、後方ユニット１２Ｂ側の面（撮影空間側の面）と反対の面に隣接して設置される。編集ユニット１３の２つの側面には、利用者が撮影画像に対する編集等を行うための第１編集インタフェース１３Ａと第２編集インタフェース１３Ｂがそれぞれ設けられる。
【００５５】
ここで、写真シール作成ゲームの流れと、それに伴う利用者の移動について図４を参照して説明する。図４は、写真シール作成装置１を上から見た平面図である。
【００５６】
外付けモニタ１６の前方の空間である事前接客空間３１において硬貨投入口５５に代金を投入した利用者（利用者Ａ）は、外付けモニタ１６に表示される画面に従って各種の設定をタッチペン１８を用いて行う。事前接客空間３１においては、例えば、画像を管理サーバ３に送信する機能である携帯送信の機能を利用するか否かの選択が事前接客作業として行われる。
【００５７】
事前接客作業を終えた利用者は、前方ユニット１２Ａと後方ユニット１２Ｂの間に形成された撮影空間３２に入り、前方ユニット１２Ａに設けられたカメラやモニタを利用して撮影作業を行う（利用者Ｂ）。
【００５８】
撮影作業を終えた利用者は、撮影画像の中から編集対象画像を選択し、選択した後に例えば前方ユニット１２Ａのモニタに表示される移動案内に従って、撮影空間３２から、編集作業を行う編集空間に移動する。
【００５９】
編集ユニット１３の、前方ユニット１２Ａから見て右側（第１編集インタフェース１３Ａの前方）に第１編集空間３３Ａが形成され、左側（第２編集インタフェース１３Ｂの前方）に第２編集空間３３Ｂが形成される。以下、適宜、第１編集空間３３Ａと第２編集空間３３Ｂを区別する必要が無い場合、まとめて編集空間３３という。
【００６０】
撮影空間３２の利用者（利用者Ｂ）は、撮影作業を終えたとき、２つの編集空間のうち、空いている方に案内される。第１編集空間３３Ａまたは第２編集空間３３Ｂに移動した利用者は、編集作業を開始する。第１編集空間３３Ａの利用者である利用者Ｃと、第２編集空間３３Ｂの利用者である利用者Ｃ'は同時に編集作業を行うことができる。
【００６１】
編集作業を終えた利用者は、次に、分割数の設定などの印刷設定作業を編集空間３３において行う。印刷設定作業が終了した後、印刷が開始される。画像の印刷中、利用者は、携帯送信の機能を利用することを事前接客作業時に選択している場合、管理サーバ３に保存しておく画像を編集済み画像の中から選択したり、ミニゲームを行ったりする。印刷が終了した場合、利用者は印刷物受取領域３４に移動してシール紙を受け取り、一連の写真シール作成ゲームを終える。
【００６２】
次に、各ユニットの構成について説明する。
【００６３】
図５は、前方ユニット１２Ａの構成例を示す図である。図５の正面１２Ａ−１は、撮影空間３２で撮影作業を行う利用者にとって前方に位置する面である。
【００６４】
正面１２Ａ−１のほぼ中央には、撮影空間３２内の被写体を撮影するカメラ５１が設けられており、カメラ５１の下にタッチパネルモニタ５２が設けられている。
【００６５】
正面１２Ａ−１には、カメラ５１による撮影タイミングに合わせて発光する照明装置５３−１乃至５３−８が設置されている他、撮影作業を行っている利用者が手荷物等を置くための荷物置き場５４−１および５４−２が、タッチパネルモニタ５２の下にある照明装置５３−７を挟んで左右に設けられている。正面１２Ａ−１の例えば天井付近には、写真シール作成ゲームの撮影作業における案内音声、BGM(Back Ground Music)、効果音等の音声を出力するスピーカも設けられる。
【００６６】
カメラ５１は、CCD(Charge Coupled Device)などの撮像素子により構成され、撮影空間３２にいる利用者を撮影する。カメラ５１により取り込まれた取り込み画像は、一部が切り出されたり、背景等の画像が合成されたりして、タッチパネルモニタ５２にリアルタイムで表示される。利用者により撮影が指示されたときなどの所定のタイミングでカメラ５１により取り込まれた画像は撮影画像（静止画像）として保存される。
【００６７】
タッチパネルモニタ５２は、LCD(Liquid Crystal Display)などのライブビューモニタと、それに積層されたタッチパネルにより構成される。タッチパネルモニタ５２は、カメラ５１により取り込まれた取り込み画像に背景や前景等の画像を合成した合成画像（動画像）を表示するライブビューモニタとしての機能と、各種のGUI(Graphical User Interface)画像を表示するとともに、画面上に重畳されたタッチパネルにより利用者の選択操作を受け付ける機能とを備えている。
【００６８】
図６は、編集ユニット１３の、撮影ユニット１２側から見て右側面の構成例（第１編集空間３３Ａ側の構成例）を示す図である。
【００６９】
第１編集インタフェース１３Ａには、タブレット内蔵モニタ６２、タッチペン６３−１，６３−２、およびスピーカ６４が設けられる。これらの上方には照明装置６１も設けられる。
【００７０】
タブレット内蔵モニタ６２は、タッチペン６３−１または６３−２を用いて操作入力が可能なタブレットがLCDなどの表示デバイス上に重畳されることによって構成される。タブレット内蔵モニタ６２には、例えば、編集対象画像の編集に用いられる画面である編集画面が表示される。２人で同時に編集作業を行う場合、タッチペン６３−１は一方の利用者により用いられ、タッチペン６３−２は他方の利用者により用いられる。以下、適宜、タッチペン６３−１とタッチペン６３−２をまとめてタッチペン６３という。
【００７１】
スピーカ６４は、案内音声、効果音、BGMなどの編集作業に関する音声を出力する。なお、第２編集空間３３Ｂ側の編集ユニット１３の構成も、図６に示す第１編集空間３３Ａ側の構成と基本的に同様の構成である。
【００７２】
図７は、編集ユニット１３の、写真シール排出部１３Ｃの構成例を示す図である。
【００７３】
写真シール排出部１３Ｃには写真シール排出口７１が設けられる。写真シール排出口７１には、第１編集空間３３Ａの利用者が編集作業を行って得られた画像が印刷されたシール紙と、第２編集空間３３Ｂの利用者が編集作業を行って得られた画像が印刷されたシール紙が排出される。編集ユニット１３の内部にはプリンタが設けられており、編集作業により得られた画像の印刷がそのプリンタにより行われる。
【００７４】
次に、写真シール作成装置１の内部構成について説明する。図８は、写真シール作成装置１の内部の構成例を示すブロック図である。上述した構成と同じ構成には同じ符号を付してある。重複する説明については適宜省略する。
【００７５】
制御部１０１は、写真シール作成装置１の全体の動作を制御する。制御部１０１には、記憶部１０２、通信部１０３、ドライブ１０４、ROM(Read Only Memory)１０６、RAM(Random Access Memory)１０７、事前接客部１１１、撮影部１１２、編集部１１３、プリンタ１１４が接続される。
【００７６】
記憶部１０２は、ハードディスクやフラッシュメモリなどの不揮発性の記憶媒体からなり、制御部１０１から供給された各種の設定情報を記憶する。記憶部１０２に記憶されている情報は制御部１０１により適宜読み出される。記憶部１０２には、写真シール作成装置１の識別情報である筐体IDも記憶される。
【００７７】
通信部１０３はインターネットなどのネットワークのインタフェースであり、制御部１０１による制御に従って、管理サーバ３などの外部の装置と通信を行う。
【００７８】
ドライブ１０４には、光ディスク（CD-ROM(Compact Disc-Read Only Memory)、DVD(Digital Versatile Disc)を含む）や半導体メモリなどよりなるリムーバブルメディア１０５が適宜装着される。ドライブ１０４によりリムーバブルメディア１０５から読み出されたコンピュータプログラムやデータは、制御部１０１に供給され、記憶部１０２に記憶されたり、インストールされたりする。
【００７９】
ROM１０６には、制御部１０１において実行されるプログラムやデータが記憶されている。RAM１０７は、制御部１０１が処理するデータやプログラムを一時的に記憶する。
【００８０】
事前接客部１１１は、事前接客作業を利用者に行わせるための処理である事前接客処理を行うブロックであり、外付けモニタ１６、スピーカ１７、タッチペン１８、非接触型ICリーダライタ１９、および硬貨処理部１２１から構成される。
【００８１】
外付けモニタ１６は、制御部１０１による制御に従って、写真シール作成ゲームの流れや遊び方等を案内する映像などを表示する。また、外付けモニタ１６は、代金が投入された後、携帯送信の機能を利用するか否かの選択画面、携帯端末２を非接触型ICリーダライタ１９にかざすことを利用者に要求するメッセージを含む画面などを表示する。外付けモニタ１６に対して入力された利用者の操作の内容を表す信号は制御部１０１に供給される。
【００８２】
硬貨処理部１２１は、硬貨投入口５５に対する硬貨の投入を検出する。硬貨処理部１２１は、硬貨が投入されたことを検出した場合、そのことを表す起動信号を制御部１０１に出力する。
【００８３】
撮影部１１２は、撮影作業を利用者に行わせるための処理である撮影処理を行うブロックであり、背景カーテンユニット１５、照明制御部１２２、カメラ５１、タッチパネルモニタ５２、およびスピーカ１２４から構成される。
【００８４】
背景カーテンユニット１５は、制御部１０１より供給される背景制御信号に基づいて背景カーテンの上げ下ろしを行う。背景の選択は利用者が手動で行うようにしてもよい。
【００８５】
照明制御部１２２は、制御部１０１より供給される照明制御信号に基づいて、照明装置５３−１乃至５３−８を点灯したり、消灯したりする。
【００８６】
カメラ５１は、制御部１０１による制御に従って撮影を行い、撮影によって得られた画像データを制御部１０１に出力する。撮影処理においては、撮影が複数回行われ、複数の撮影画像の中から選択された所定の数の画像が編集対象画像として記憶部１０２に保存される。
【００８７】
編集部１１３は、編集作業を利用者に行わせるための処理である編集処理を行うブロックであり、第１編集インタフェース１３Ａに対応する第１編集部１１３Ａと、第２編集インタフェース１３Ｂに対応する第２編集部１１３Ｂよりなる。ここでは第１編集部１１３Ａの構成について説明するが、第２編集部１１３Ｂも第１編集部１１３Ａと同一の構成を有する。
【００８８】
第１編集部１１３Ａは、タブレット内蔵モニタ６２、タッチペン６３−１，６３−２、およびスピーカ６４から構成される。
【００８９】
タブレット内蔵モニタ６２は編集用モニタ１４１とタブレット１４２により構成され、制御部１０１による制御に従って編集画面を表示し、編集画面に対する利用者の操作を検出する。利用者の操作の内容を表す信号は制御部１０１に供給され、編集対象画像の編集が行われる。編集画面には、記憶部１０２に保存されていた編集対象画像のサムネイル画像が表示され、サムネイル画像をタップすることによって選択された１枚の編集対象画像がサムネイル画像より大きなサイズで表示される。利用者は、拡大して表示させる編集対象画像を適宜切り替え、拡大表示された編集対象画像に対して、編集画面に表示されるペンツールを使って手書きの文字を入力したり、スタンプツールを使ってハート柄などの画像を入力したりすることができる。
【００９０】
プリンタ１１４は、編集処理によって得られた編集済み画像をシール紙１６２に印刷し、写真シール排出口７１に排出する。
【００９１】
図９は、制御部１０１の機能構成例を示すブロック図である。図９に示す構成は、制御部１０１が所定のプログラムを実行することによって実現される。制御部１０１においては、事前接客処理部２０１、撮影処理部２０２、編集処理部２０３、印刷処理部２０４、および事後接客処理部２０５が実現される。
【００９２】
事前接客処理部２０１は、写真シール作成ゲームを開始する際に投入される代金（硬貨）に関する処理や、撮影前設定などに関する処理である事前接客処理を行う。撮影処理部２０２は、利用者を撮影する処理である撮影処理を行う。編集処理部２０３は、撮影画像に対する編集等の編集処理を行う。印刷処理部２０４は、編集処理によって得られた画像をシール紙に印刷する印刷処理を行う。事後接客処理部２０５は、編集作業を終えて印刷が終わるのを待っている利用者に対してミニゲームなどを提供する事後接客処理を行う。
【００９３】
［管理サーバ３の構成］
図１０は、管理サーバ３の構成例を示すブロック図である。
【００９４】
CPU(Central Processing Unit)２１１、ROM２１２、RAM２１３は、バス２１４により相互に接続される。
【００９５】
バス２１４には、さらに、入出力インタフェース２１５が接続される。入出力インタフェース２１５には、キーボード、マウスなどよりなる入力部２１６、ディスプレイ、スピーカなどよりなる出力部２１７が接続される。また、入出力インタフェース２１５には、ハードディスクや不揮発性のメモリなどよりなる記憶部２１８、ネットワークインタフェースなどよりなり、写真シール作成装置１や携帯端末２と通信を行う通信部２１９、リムーバブルメディア２２１を駆動するドライブ２２０が接続される。
【００９６】
記憶部２１８には、写真シール作成装置１の筐体IDと設置位置情報が紐付けて記憶される。写真シール作成装置１の機種名、位置情報により特定される、写真シール作成装置１が設置されている店舗の名称などの他の情報が、筐体IDや設置位置情報と紐付けて記憶されるようにしてもよい。
【００９７】
また、記憶部２１８には、写真シール作成装置１から送信されてきたサーバ送信用画像のうち、携帯送信用画像として選択された画像が記憶される。記憶部２１８に記憶された携帯送信用画像は、アクセスが行われることに応じて携帯端末２に送信される。
【００９８】
図１１は、管理サーバ３の機能構成例を示すブロック図である。図１１に示す機能部のうちの少なくとも一部は、図１０のCPU２１１により所定のプログラムが実行されることによって実現される。管理サーバ３においては、携帯送信用画像管理部２３１、位置管理部２３２、およびサービス提供部２３３が実現される。
【００９９】
携帯送信用画像管理部２３１は、写真シール作成装置１から送信されてきたサーバ送信用画像を取得し、サーバ送信用画像のうち、携帯送信用画像として選択された画像を携帯送信用画像IDに基づいて特定する。携帯送信用画像管理部２３１は、携帯送信用画像に保存先となるURLを割り当て、記憶部２１８に携帯送信用画像を記憶させる。携帯送信用画像管理部２３１は、通信部２１９を制御し、保存先URLを含む電子メールを携帯端末２に送信する。
【０１００】
位置管理部２３２は、写真シール作成装置１から送信されてきた携帯端末位置情報と筐体IDを取得し、携帯端末位置情報を写真シール作成装置１の設置位置情報として、筐体IDと紐付けて記憶部２１８に記憶させる。
【０１０１】
サービス提供部２３３は、記憶部２１８に記憶されている写真シール作成装置１の設置位置情報を用いて各種のサービスを提供する。例えば、写真シール作成装置の設置位置の検索が携帯端末２から要求された場合、サービス提供部２３３は、検索の要求とともに携帯端末２から送信されてきた携帯端末位置情報により表される携帯端末２の現在地の近くにある写真シール作成装置を記憶部２１８に記憶されている情報に基づいて特定し、特定した写真シール作成装置に関する情報を携帯端末２に送信する。
【０１０２】
［携帯端末２の構成］
図１２は、携帯端末２の構成例を示すブロック図である。
【０１０３】
携帯端末２は、制御部２４１、アンテナ２４２、通信部２４３、GPSセンサ２４４、表示部２４５、非接触型IC２４６、記憶部２４７、および操作部２４８から構成される。
【０１０４】
制御部２４１は、CPU，ROM，RAMなどよりなり、所定のプログラムを実行し、携帯端末２の全体の動作を制御する。
【０１０５】
通信部２４３は、基地局から送信された電波が受信されることに応じてアンテナ２４２から供給された信号の復調処理を行い、復調処理を行うことによって得られた情報を制御部２４１に出力する。また、通信部２４３は、制御部２４１から供給された情報に対して変調処理を施し、得られた信号をアンテナ２４２から送信する。
【０１０６】
GPSセンサ２４４は、例えば所定の周期で携帯端末２の位置を測定し、測定した位置の情報である携帯端末位置情報を制御部２４１に出力する。
【０１０７】
表示部２４５はLCDなどよりなり、各種の情報を表示する。例えば表示部２４５には、管理サーバ３から送信され、通信部２４３において受信された携帯送信用画像が表示される。
【０１０８】
非接触型IC２４６は、写真シール作成装置１の非接触型ICリーダライタ１９との通信可能範囲にあるとき、非接触型ICリーダライタ１９と近接通信を行う。非接触型IC２４６は、GPSセンサ２４４により測定され、制御部２４１から供給された携帯端末位置情報と、制御部２４１により管理されている携帯端末２のメールアドレスを非接触型ICリーダライタ１９に読み出させ、送信する。
【０１０９】
記憶部２４７はフラッシュメモリなどよりなり、管理サーバ３からダウンロードされ、制御部２４１から供給された携帯送信用画像などの各種の情報を記憶する。また、記憶部２４７は、GPSセンサ２４４により測位が行われることによって得られた携帯端末位置情報を記憶する。
【０１１０】
操作部２４８は各種のボタンや表示部２４５に重ねて設けられたタッチパネルより構成され、利用者の操作の内容を表す信号を制御部２４１に出力する。
【０１１１】
［情報管理システムの動作］
ここで、図１３のフローチャートを参照して、図１の情報管理システムの一連の処理について説明する。
【０１１２】
ステップＳ１において、写真シール作成装置１の硬貨処理部１２１は、硬貨が投入されたか否かを判定し、投入されたと判定するまで待機する。硬貨が投入される前、ステップＳ３１において、携帯端末２のGPSセンサ２４４により位置の測定が行われている。
【０１１３】
硬貨が投入されたとステップＳ１において判定された場合、ステップＳ２において、写真シール作成装置１の事前接客処理部２０１は、「携帯をかざしてね」などのメッセージを外付けモニタ１６に表示し、携帯端末認証操作を利用者に要求する。携帯端末認証操作は、携帯端末２を非接触型ICリーダライタ１９にかざすことである。
【０１１４】
携帯端末２が非接触型ICリーダライタ１９にかざされたとき、ステップＳ３２において、携帯端末２の非接触型IC２４６は、メールアドレスと、ステップＳ３１において測定された位置を表す携帯端末位置情報を近接通信によって送信する。
【０１１５】
ステップＳ３において、写真シール作成装置１の事前接客処理部２０１は、携帯端末２から送信されてきた情報を非接触型ICリーダライタ１９を制御して受信し、ステップＳ４において事前接客処理を行う。事前接客処理により、例えば携帯送信の機能を利用することが利用者により選択される。
【０１１６】
ステップＳ５において、撮影処理部２０２は撮影処理を行い、撮影を所定の回数繰り返し行う。撮影処理部２０２は、撮影処理によって得られた撮影画像をタッチパネルモニタ５２に表示し、その中から選択された編集対象画像を編集処理部２０３に出力する。
【０１１７】
ステップＳ６において、編集処理部２０３は、編集画面を表示し、利用者の操作に応じて編集処理を行う。編集処理により、上述したように、編集対象画像に対して、手書きの文字や模様、あらかじめ用意されているハート柄などの画像が入力される。また、編集処理部２０３は、編集対象画像をサーバ送信用画像とし、それぞれのサーバ送信用画像にIDを設定する。編集処理部２０３は、記憶部１０２に記憶されている筐体IDを読み出し、通信部１０３を制御して、筐体ID、サーバ送信用画像ID、サーバ送信用画像、携帯端末２のメールアドレス、携帯端末位置情報を管理サーバ３に送信する。
【０１１８】
ステップＳ２１において、管理サーバ３の通信部２１９は、写真シール作成装置１から送信されてきた情報を受信する。
【０１１９】
ステップＳ２２において、管理サーバ３の位置管理部２３２は、通信部２１９により受信された携帯端末位置情報を写真シール作成装置１の設置位置情報とし、筐体IDと紐付けて記憶部２１８に記憶させて管理する。
【０１２０】
一方、ステップＳ７において、写真シール作成装置１の編集処理部２０３は、編集対象画像をタブレット内蔵モニタ６２に表示し、その中から所定の数の画像を携帯送信用画像として利用者に選択させる。
【０１２１】
ステップＳ８において、編集処理部２０３は、通信部１０３を制御し、携帯送信用画像として選択された画像のIDである携帯送信用画像IDを管理サーバ３に送信する。
【０１２２】
ステップＳ９において、印刷処理部２０４は、プリンタ１１４を制御し、編集処理により得られた編集済みの画像をシール紙１６２に印刷し、印刷が終了したとき、ステップＳ１０において写真シール排出口７１に排出する。
【０１２３】
写真シール作成装置１から携帯送信用画像IDが送信されてきたとき、ステップＳ２３において、管理サーバ３の通信部２１９は携帯送信用画像IDを受信する。
【０１２４】
ステップＳ２４において、携帯送信用画像管理部２３１は、サーバ送信用画像のうち、携帯送信用画像として選択された画像を写真シール作成装置１から送信されてきた携帯送信用画像IDに基づいて特定する。携帯送信用画像管理部２３１は、URLを割り当て、携帯送信用画像を記憶部２１８に記憶させる。
【０１２５】
ステップＳ２５において、携帯送信用画像管理部２３１は、通信部２１９を制御し、保存先URLを含む電子メールを、写真シール作成装置１から送信されてきた携帯端末２のメールアドレスに基づいて携帯端末２に送信する。
【０１２６】
ステップＳ３３において、携帯端末２の通信部２４３は、管理サーバ３から送信されてきた電子メールを受信し、制御部２４１に出力する。
【０１２７】
ステップＳ３４において、制御部２４１は、電子メールに含まれる保存先URLへのアクセスが利用者により指示された場合、通信部２４３を制御して管理サーバ３にアクセスし、保存先URLにより特定される保存場所に記憶されている携帯送信用画像を受信して表示する。また、制御部２４１は、利用者による操作に応じて携帯送信用画像をダウンロード（DL）し、記憶部２４７に記憶させる。
【０１２８】
以上の処理により、管理サーバ３は、写真シール作成装置１の正確な設置位置の情報を得ることが可能になる。
【０１２９】
＜第２の実施の形態＞
［情報管理システムの構成］
図１４は、本発明の第２の実施形態に係る情報管理システムの構成例を示す図である。
【０１３０】
図１の情報管理システムにおいては携帯端末２により測定された位置を表す携帯端末情報が写真シール作成装置１経由で管理サーバ３に送信され、写真シール作成装置１から送信されてきた筐体IDとともに管理サーバ３により取得されるものとしたが、図１４の情報管理システムにおいては、写真シール作成装置１の筐体IDが携帯端末２経由で管理サーバ３に送信され、携帯端末２から送信されてきた携帯端末位置情報とともに管理サーバ３により取得されるようになされている。
【０１３１】
図１４の情報管理システムにおける一連の情報の流れについて説明する。
【０１３２】
写真シール作成装置１の利用を開始する前、携帯端末２の利用者は、例えば、携帯端末２のブラウザ機能を利用して管理サーバ３が管理するサイトにアクセスし、矢印＃１１に示すように、アクセス先のサイトからアプリケーションのダウンロードを行っているものとする。
【０１３３】
ダウンロードされたアプリケーションは携帯端末２にインストールされ、実行される。携帯端末２にインストールされたアプリケーションは、管理サーバ３にアクセスし、各種の情報を管理サーバ３に送信する機能を有するアプリケーションである。図１を参照して説明した携帯端末２の機能が、同様に予めインストールされたアプリケーションにより実現されるようにしてもよい。以下、適宜、管理サーバ３からダウンロードされ、携帯端末２にインストールされるアプリケーションを位置管理アプリケーションという。
【０１３４】
携帯端末２の利用者が写真シール作成装置１の設置店舗に入り、代金を投入するなどして写真シール作成装置１の利用を開始した場合、写真シール作成装置１の外付けモニタ１６には、非接触型ICリーダライタ１９に携帯端末２をかざすことを要求する画面が表示される。
【０１３５】
その画面を確認した利用者が携帯端末２を非接触型ICリーダライタ１９にかざしたとき、矢印＃１２で示すように、携帯端末２は、携帯端末２のメールアドレスを近接通信によって写真シール作成装置１に送信する。
【０１３６】
携帯端末２から送信されてきたメールアドレスを受信した写真シール作成装置１は、矢印＃１３で示すように、写真シール作成装置１の筐体IDを近接通信によって携帯端末２に送信する。
【０１３７】
携帯端末２は、写真シール作成装置１の筐体IDを受信したとき、矢印＃１４で示すように、写真シール作成装置１の筐体IDと携帯端末位置情報を管理サーバ３に送信する。携帯端末２においては、例えば所定の周期で繰り返し測位が行われており、筐体IDが送信されてきたとき、直前の測位によって得られた携帯端末位置情報が写真シール作成装置１の筐体IDとともに管理サーバ３に送信される。筐体IDを受信したタイミングで測位が行われ、その測位によって得られた携帯端末位置情報が管理サーバ３に送信されるようにしてもよい。
【０１３８】
管理サーバ３は、携帯端末２から送信されてきた筐体IDと携帯端末位置情報を受信し、受信した携帯端末位置情報を写真シール作成装置１の設置位置情報として、筐体IDと紐付けて保存し、管理する。
【０１３９】
一方、写真シール作成装置１は、筐体IDを携帯端末２に送信した後、利用者にシール紙を提供するまでの一連のゲームを開始し、携帯端末２の利用者の操作に応じて、撮影処理、編集処理、印刷処理等を行う。携帯端末２の利用者は、印刷処理によって画像が印刷されたシール紙を受け取り、一連のゲームを終了することになる。
【０１４０】
写真シール作成装置１は、編集処理時、矢印＃１５で示すように、サーバ送信用画像、サーバ送信用画像ID、および、携帯端末２のメールアドレスを管理サーバ３に送信する。また、写真シール作成装置１は、サーバ送信用画像、サーバ送信用画像ID、およびメールアドレスを送信した後、サーバ送信用画像の中から利用者により選択された携帯送信用画像のIDである携帯送信用画像IDを管理サーバ３に送信する。
【０１４１】
管理サーバ３は、写真シール作成装置１から送信されてきた各種の情報を受信し、受信した情報に含まれるサーバ送信用画像のうち、携帯送信用画像として選択された画像を携帯送信用画像IDに基づいて特定し、携帯送信用画像を保存する。
【０１４２】
管理サーバ３は、矢印＃１６で示すように、携帯送信用画像の保存場所を表す保存先URLを含む電子メールを、写真シール作成装置１から送信されてきたメールアドレスに基づいて携帯端末２に送信する。
【０１４３】
管理サーバ３から送信されてきた電子メールを受信した携帯端末２は、電子メールに含まれる保存先URLに基づいて携帯送信用画像の保存場所にアクセスし、携帯送信用画像を表示したり、ダウンロードしたりする。
【０１４４】
図１４の情報管理システムにおいては、以上のようにして、携帯端末２経由で送信されてきた写真シール作成装置１の筐体IDと、携帯端末２により測定され、携帯端末２から送信されてきた携帯端末位置情報が管理サーバ３により取得され、紐付けて管理される。これによっても、管理サーバ３は、写真シール作成装置１の正確な設置位置の情報を得ることが可能になる。
【０１４５】
また、写真シール作成装置１の管理者は、写真シール作成装置１を店舗に設置したときにその設置位置を管理サーバ３に登録する必要がない。さらに、携帯端末２の位置を表す情報が写真シール作成装置１に送信されないため、携帯端末２の利用者の位置が写真シール作成装置１から漏洩するリスクを低減することが可能になる。
【０１４６】
［情報管理システムの動作］
ここで、図１５のフローチャートを参照して、図１４の情報管理システムの一連の処理について説明する。上述した説明と重複する説明については適宜省略する。写真シール作成装置１、携帯端末２、管理サーバ３の構成は図２乃至図１２の構成と同じである。
【０１４７】
ステップＳ４１において、写真シール作成装置１の硬貨処理部１２１は、硬貨が投入されたか否かを判定し、投入されたと判定するまで待機する。硬貨が投入される前、ステップＳ７１において、携帯端末２のGPSセンサ２４４により位置の測定が行われている。
【０１４８】
硬貨が投入されたとステップＳ４１において判定された場合、ステップＳ４２において、写真シール作成装置１の事前接客処理部２０１は、携帯端末認証操作を利用者に要求する。
【０１４９】
携帯端末２が非接触型ICリーダライタ１９にかざされたとき、ステップＳ７２において、携帯端末２の非接触型IC２４６は、メールアドレスを近接通信によって送信する。
【０１５０】
ステップＳ４３において、写真シール作成装置１の事前接客処理部２０１は、非接触型ICリーダライタ１９を制御し、携帯端末２から送信されてきたメールアドレスを受信する。
【０１５１】
ステップＳ４４において、事前接客処理部２０１は、記憶部１０２に記憶されている筐体IDを読み出し、読み出した筐体IDを、非接触型ICリーダライタ１９を制御して携帯端末２に送信する。
【０１５２】
ステップＳ７３において、携帯端末２の制御部２４１は、非接触型ICリーダライタ１９により非接触型IC２４６に書き込まれた筐体IDを受信し、管理サーバ３から予めダウンロードし、インストールしておいた位置管理アプリケーションを起動させる。
【０１５３】
ステップＳ７４において、制御部２４１は、位置管理アプリケーションの機能によって、通信部２４３を制御して管理サーバ３にアクセスし、写真シール作成装置１の筐体IDと携帯端末位置情報を管理サーバ３に送信する。
【０１５４】
ステップＳ６１において、管理サーバ３の通信部２１９は、写真シール作成装置１から送信されてきた情報を受信する。
【０１５５】
ステップＳ６２において、管理サーバ３の位置管理部２３２は、通信部２１９により受信された携帯端末位置情報を写真シール作成装置１の設置位置情報とし、筐体IDと紐付けて記憶部２１８に記憶させて管理する。
【０１５６】
一方、筐体IDを携帯端末２に送信した写真シール作成装置１の事前接客処理部２０１は、ステップＳ４５において事前接客処理を行う。事前接客処理により、例えば携帯送信の機能を利用することが利用者により選択される。
【０１５７】
ステップＳ４６において、撮影処理部２０２は撮影処理を行い、撮影画像の中から選択された編集対象画像を編集処理部２０３に出力する。
【０１５８】
ステップＳ４７において、編集処理部２０３は、編集画面を表示し、利用者の操作に応じて編集処理を行う。また、編集処理部２０３は、編集対象画像をサーバ送信用画像とし、それぞれのサーバ送信用画像にIDを設定する。編集処理部２０３は、通信部１０３を制御し、サーバ送信用画像ID、サーバ送信用画像、および、携帯端末２のメールアドレスを管理サーバ３に送信する。
【０１５９】
ステップＳ４８において、写真シール作成装置１の編集処理部２０３は、編集対象画像をタブレット内蔵モニタ６２に表示し、その中から所定の数の画像を携帯送信用画像として利用者に選択させる。
【０１６０】
ステップＳ４９において、編集処理部２０３は、通信部１０３を制御し、携帯送信用画像として選択された画像のIDである携帯送信用画像IDを管理サーバ３に送信する。
【０１６１】
ステップＳ５０において、印刷処理部２０４は、プリンタ１１４を制御し、編集処理により得られた編集済みの画像をシール紙１６２に印刷し、印刷が終了したとき、ステップＳ５１において写真シール排出口７１に排出する。
【０１６２】
写真シール作成装置１からサーバ送信用画像ID、サーバ送信用画像、および、携帯端末２のメールアドレスが送信されてきたとき、ステップＳ６３において、管理サーバ３の通信部２１９は、それらの情報を受信する。
【０１６３】
また、ステップＳ６４において、通信部２１９は、サーバ送信用画像ID、サーバ送信用画像、および、携帯端末２のメールアドレスに続けて写真シール作成装置１から送信されてきた携帯送信用画像IDを受信する。
【０１６４】
ステップＳ６５において、携帯送信用画像管理部２３１は、サーバ送信用画像のうち、携帯送信用画像として選択された画像を写真シール作成装置１から送信されてきた携帯送信用画像IDに基づいて特定する。携帯送信用画像管理部２３１は、URLを割り当て、携帯送信用画像を記憶部２１８に記憶させる。
【０１６５】
ステップＳ６６において、携帯送信用画像管理部２３１は、通信部２１９を制御し、保存先URLを含む電子メールを、写真シール作成装置１から送信されてきた携帯端末２のメールアドレスに基づいて携帯端末２に送信する。
【０１６６】
ステップＳ７５において、携帯端末２の通信部２４３は、管理サーバ３から送信されてきた電子メールを受信し、制御部２４１に出力する。
【０１６７】
ステップＳ７６において、制御部２４１は、電子メールに含まれる保存先URLへのアクセスが利用者により指示された場合、通信部２４３を制御して管理サーバ３にアクセスし、保存先URLにより特定される保存場所に記憶されている携帯送信用画像を受信して表示する。制御部２４１は、利用者による操作に応じて携帯送信用画像をダウンロードし、記憶部２４７に記憶させる。
【０１６８】
以上の処理によっても、管理サーバ３は、写真シール作成装置１の正確な設置位置の情報を得ることが可能になる。
【０１６９】
＜第３の実施の形態＞
［情報管理システムの構成］
図１６は、本発明の第３の実施形態に係る情報管理システムの構成例を示す図である。
【０１７０】
図１６の情報管理システムにおいては、写真シール作成装置１の筐体IDが写真シール作成装置１から管理サーバ３に送信され、携帯端末２により測定された位置を表す携帯端末位置情報が携帯端末２から管理サーバ３に送信される。設置位置情報として筐体IDと紐付けて管理する携帯端末位置情報は、筐体IDの後に写真シール作成装置１から送信されてきた携帯送信用画像IDと、携帯端末位置情報とともに携帯端末２から送信されてきた携帯送信用画像IDに基づいて管理サーバ３により特定され、筐体IDと設置位置情報が紐付けて管理される。
【０１７１】
図１６の情報管理システムにおける一連の情報の流れについて説明する。
【０１７２】
写真シール作成装置１の利用を開始する前、携帯端末２の利用者は、図１４の情報管理システムの場合と同様に、管理サーバ３から位置管理アプリケーションを矢印＃２１に示すようにダウンロードし、携帯端末２にインストールする。
【０１７３】
携帯端末２の利用者が写真シール作成装置１の設置店舗に入り、代金を投入するなどして写真シール作成装置１の利用を開始した場合、写真シール作成装置１は、シール紙を提供するまでの一連のゲームを開始し、携帯端末２の利用者の操作に応じて、事前接客処理、撮影処理、編集処理、印刷処理等を行う。携帯端末２の利用者は、印刷処理によって画像が印刷されたシール紙を受け取り、一連のゲームを終了することになる。
【０１７４】
写真シール作成装置１は、編集処理時、矢印＃２２で示すように、サーバ送信用画像とサーバ送信用画像IDを管理サーバ３に送信する。また、写真シール作成装置１は、サーバ送信用画像とサーバ送信用画像IDを送信した後、非接触型ICリーダライタ１９に携帯端末２をかざすことを要求する画面をタブレット内蔵モニタ６２に表示させる。この場合、非接触型ICリーダライタ１９は、例えば、外付けモニタ１６の近傍ではなく、編集ユニット１３にあるタブレット内蔵モニタ６２の近傍に設けられる。
【０１７５】
その画面を確認した利用者が携帯端末２をタブレット内蔵モニタ６２の近傍に設けられる非接触型ICリーダライタ１９にかざしたとき、矢印＃２３で示すように、携帯端末２は、携帯端末２のメールアドレスを近接通信によって写真シール作成装置１に送信する。
【０１７６】
携帯端末２から送信されてきたメールアドレスを受信した写真シール作成装置１は、矢印＃２４で示すように、サーバ送信用画像の中から利用者により選択された携帯送信用画像のIDである携帯送信用画像IDを近接通信によって携帯端末２に送信する。また、写真シール作成装置１は、矢印＃２２で示すように、携帯送信用画像ID、筐体ID、および携帯端末２のメールアドレスを管理サーバ３に送信する。
【０１７７】
携帯端末２は、写真シール作成装置１から近接通信によって送信されてきた携帯送信用画像IDを受信したとき、矢印＃２５で示すように、携帯送信用画像IDと携帯端末位置情報を管理サーバ３に送信する。携帯端末２においては、例えば所定の周期で繰り返し測位が行われており、携帯送信用画像IDが写真シール作成装置１から送信されてきたとき、直前の測位によって得られた携帯端末位置情報が携帯送信用画像IDとともに管理サーバ３に送信される。携帯送信用画像IDを受信したタイミングで測位が行われ、その測位によって得られた携帯端末位置情報が管理サーバ３に送信されるようにしてもよい。
【０１７８】
管理サーバ３は、写真シール作成装置１から先に送信されてきたサーバ送信用画像とサーバ送信用画像IDを受信する。また、管理サーバ３は、それに続けて写真シール作成装置１から送信されてきた携帯送信用画像ID、筐体ID、および携帯端末２のメールアドレスを受信する。
【０１７９】
さらに、管理サーバ３は、携帯端末２から送信されてきた携帯送信用画像IDと携帯端末位置情報を受信する。
【０１８０】
管理サーバ３は、これらの情報を受信した後、携帯端末２から送信されてきた携帯送信用画像IDと同じIDとともに写真シール作成装置１から送信されてきた筐体IDを特定する。また、管理サーバ３は、携帯端末２から送信されてきた携帯端末位置情報を写真シール作成装置１の設置位置情報とし、特定した筐体IDと紐付けて保存し、管理する。
【０１８１】
管理サーバ３は、写真シール作成装置１から送信されてきたサーバ送信用画像のうち、携帯送信用画像として選択された画像を写真シール作成装置１から送信されてきた携帯送信用画像IDに基づいて特定し、携帯送信用画像を保存する。
【０１８２】
管理サーバ３は、矢印＃２６で示すように、携帯送信用画像の保存場所を表す保存先URLを含む電子メールを、写真シール作成装置１から送信されてきたメールアドレスに基づいて携帯端末２に送信する。
【０１８３】
管理サーバ３から送信されてきた電子メールを受信した携帯端末２は、電子メールに含まれる保存先URLに基づいて携帯送信用画像の保存場所にアクセスし、携帯送信用画像を表示したり、ダウンロードしたりする。
【０１８４】
図１６の情報管理システムにおいては、以上のようにして、写真シール作成装置１から直接送信されてきた筐体IDと、携帯端末２により測定され、携帯端末２から直接送信されてきた携帯端末位置情報が管理サーバ３により取得され、紐付けて管理される。これによっても、管理サーバ３は、写真シール作成装置１の正確な設置位置の情報を得ることが可能になる。
【０１８５】
また、写真シール作成装置１の管理者は、写真シール作成装置１を店舗に設置したときにその設置位置を管理サーバ３に登録する必要がない。携帯端末２の位置を表す情報が写真シール作成装置１に送信されないため、携帯端末２の利用者の位置が写真シール作成装置１から漏洩するリスクを低減することが可能になる。
【０１８６】
さらに、携帯送信用画像IDが写真シール作成装置１から管理サーバ３に送信され、これと同じ携帯送信用画像IDが携帯端末２から管理サーバ３に送信されるため、双方から送信されてきた携帯送信用画像IDの受信タイミングを管理サーバ３で比較することによって、写真シール作成装置１と管理サーバ３の間の通信の遅延管理を行うことが可能になる。例えば、携帯端末２から携帯送信用画像IDが送信されてきているが、同じ携帯送信用画像IDが写真シール作成装置１から送信されてこない場合、管理サーバ３においては、写真シール作成装置１と管理サーバ３の間の通信に遅延が生じていると判断される。
【０１８７】
［情報管理システムの動作］
ここで、図１７のフローチャートを参照して、図１６の情報管理システムの一連の処理について説明する。上述した説明と重複する説明については適宜省略する。写真シール作成装置１の構成は、非接触型ICリーダライタ１９が編集ユニット１３のタブレット内蔵モニタ６２の近傍に設けられている点を除いて図２乃至図９の構成と同じである。携帯端末２、管理サーバ３の構成は図１０乃至図１２の構成と同じである。
【０１８８】
ステップＳ８１において、写真シール作成装置１の硬貨処理部１２１は、硬貨が投入されたか否かを判定し、投入されたと判定するまで待機する。硬貨が投入される前、ステップＳ１１１において、携帯端末２のGPSセンサ２４４により位置の測定が行われている。
【０１８９】
硬貨が投入されたとステップＳ８１において判定された場合、ステップＳ８２において、写真シール作成装置１の事前接客処理部２０１は事前接客処理を行う。事前接客処理により、例えば携帯送信の機能を利用することが利用者により選択される。
【０１９０】
ステップＳ８３において、撮影処理部２０２は撮影処理を行い、撮影画像の中から選択された編集対象画像を編集処理部２０３に出力する。
【０１９１】
ステップＳ８４において、編集処理部２０３は、編集画面を表示し、利用者の操作に応じて編集処理を行う。また、編集処理部２０３は、編集対象画像をサーバ送信用画像として選択し、それぞれのサーバ送信用画像にIDを設定する。編集処理部２０３は、通信部１０３を制御し、サーバ送信用画像IDとサーバ送信用画像を管理サーバ３に送信する。
【０１９２】
ステップＳ１０１において、管理サーバ３の通信部２１９は、写真シール作成装置１から送信されてきたサーバ送信用画像IDとサーバ送信用画像を受信する。
【０１９３】
ステップＳ８５において、写真シール作成装置１の編集処理部２０３は、サーバ送信用画像をタブレット内蔵モニタ６２に表示し、その中から所定の数の画像を携帯送信用画像として利用者に選択させる。
【０１９４】
ステップＳ８６において、編集処理部２０３は、「携帯をかざしてね」などのメッセージをタブレット内蔵モニタ６２に表示し、携帯端末認証操作を利用者に要求する。
【０１９５】
タブレット内蔵モニタ６２の近傍に設けられた非接触型ICリーダライタ１９に携帯端末２がかざされたとき、ステップＳ１１２において、携帯端末２の非接触型IC２４６は、メールアドレスを近接通信によって送信する。
【０１９６】
ステップＳ８７において、写真シール作成装置１の編集処理部２０３は、非接触型ICリーダライタ１９を制御し、携帯端末２から送信されてきたメールアドレスを受信する。
【０１９７】
ステップＳ８８において、編集処理部２０３は、非接触型ICリーダライタ１９を制御し、携帯送信用画像として選択された画像のIDである携帯送信用画像IDを携帯端末２に近接通信によって送信する。
【０１９８】
ステップＳ８９において、編集処理部２０３は、記憶部１０２に記憶されている筐体IDを読み出し、筐体ID、携帯送信用画像ID、および携帯端末２のメールアドレスを、通信部１０３を制御して管理サーバ３に送信する。
【０１９９】
ステップＳ９０において、印刷処理部２０４は、プリンタ１１４を制御し、編集処理により得られた編集済みの画像をシール紙１６２に印刷し、印刷が終了したとき、ステップＳ９１において写真シール排出口７１に排出する。
【０２００】
一方、ステップＳ１１３において、携帯端末２の制御部２４１は、非接触型ICリーダライタ１９により非接触型IC２４６に書き込まれた携帯送信用画像IDを受信し、管理サーバ３から予めダウンロードし、インストールしておいた位置管理アプリケーションを起動させる。
【０２０１】
ステップＳ１１４において、制御部２４１は、位置管理アプリケーションの機能によって、通信部２４３を制御して管理サーバ３にアクセスし、写真シール作成装置１から送信されてきた携帯送信用画像IDと、ステップＳ１１１での測位によって得られた携帯端末位置情報を管理サーバ３に送信する。
【０２０２】
ステップＳ１０２において、管理サーバ３の通信部２１９は、写真シール作成装置１から送信されてきた携帯送信用画像ID、筐体ID、およびメールアドレスを受信する。
【０２０３】
また、ステップＳ１０３において、通信部２１９は、携帯端末２から送信されてきた携帯送信用画像IDと携帯端末位置情報を受信する。
【０２０４】
ステップＳ１０４において、管理サーバ３の位置管理部２３２は、携帯端末２から送信されてきた携帯送信用画像IDと同じIDとともに写真シール作成装置１から送信されてきた筐体IDを特定する。
【０２０５】
ステップＳ１０５において、位置管理部２３２は、携帯端末２から送信されてきた携帯端末位置情報を写真シール作成装置１の設置位置情報とし、特定した筐体IDと紐付けて記憶部２１８に記憶させて管理する。
【０２０６】
ステップＳ１０６において、携帯送信用画像管理部２３１は、サーバ送信用画像のうち、携帯送信用画像として選択された画像を写真シール作成装置１から送信されてきた携帯送信用画像IDに基づいて特定する。携帯送信用画像管理部２３１は、URLを割り当て、携帯送信用画像を記憶部２１８に記憶させる。
【０２０７】
ステップＳ１０７において、携帯送信用画像管理部２３１は、通信部２１９を制御し、保存先URLを含む電子メールを、写真シール作成装置１から送信されてきた携帯端末２のメールアドレスに基づいて携帯端末２に送信する。
【０２０８】
ステップＳ１１５において、携帯端末２の通信部２４３は、管理サーバ３から送信されてきた電子メールを受信し、制御部２４１に出力する。
【０２０９】
ステップＳ１１６において、制御部２４１は、電子メールに含まれる保存先URLへのアクセスが利用者により指示された場合、通信部２４３を制御して管理サーバ３にアクセスし、保存先URLにより特定される保存場所に記憶されている携帯送信用画像を受信して表示する。制御部２４１は、利用者による操作に応じて携帯送信用画像をダウンロードし、記憶部２４７に記憶させる。
【０２１０】
以上の処理によっても、管理サーバ３は、写真シール作成装置１の正確な設置位置の情報を得ることが可能になる。
【０２１１】
なお、以上においては、写真シール作成装置１の非接触型ICリーダライタ１９にかざしたときに携帯端末２において自動的に位置管理アプリケーションが起動するものとしたが、位置管理アプリケーションの起動が、利用者による操作に応じて行われるようにしてもよい。
【０２１２】
例えば、利用者による操作に応じて位置管理アプリケーションを起動させた際、起動させた位置管理アプリケーションの機能によって、携帯端末２から管理サーバ３に携帯端末位置情報が送信されるようにすることも可能である。写真シール作成装置１が設置されている店舗への携帯端末２の利用者の入店前時刻が管理サーバ３において管理されている場合、店舗への入店前時刻と、利用者の操作に応じて位置管理アプリケーションが起動し、管理サーバ３に対するアクセスが行われた時刻との差が、１０分などの所定の時間内であるか否かが管理サーバ３において判定され、所定の時間内であると判定されたときに、管理サーバ３からの指示に応じて、携帯端末２から管理サーバ３に携帯端末位置情報が送信されるようにしてもよい。
【０２１３】
例えば、携帯端末２において周期的に測位が行われることによって得られた携帯端末位置情報が、位置情報提供サービスを提供するサーバである位置情報提供サーバに測位時刻とともに送信され、位置情報提供サーバから管理サーバ３に転送される場合、店舗の位置が管理サーバ３に登録されているときには、位置情報提供サーバから転送されてきた情報と各店舗の位置に基づいて、携帯端末２の利用者の店舗への入店前時刻を管理サーバ３においてほぼ特定することが可能になる。
【０２１４】
店舗内のGPSの電波状況が悪く、写真シール作成装置１の利用開始直前に携帯端末２において測位を行うことができない場合であっても、例えば利用者が店舗から出た直後に位置管理アプリケーションを起動させたときには、店舗の外で測定された携帯端末位置情報が携帯端末２から管理サーバ３に送信されることになり、管理サーバ３は、写真シール作成装置１の設置位置を把握することが可能になる。１０分以内といったように制限をかけることによって、写真シール作成装置１が設置されている店舗から遠い場所で利用者が位置管理アプリケーションを起動させたときには位置情報が送信されないことになり、写真シール作成装置１の設置位置情報として、誤った位置情報が登録されるのを防ぐことが可能になる。
【０２１５】
携帯端末２が携帯端末IDを写真シール作成装置１に送信し、写真シール作成装置１がメールアドレス、筐体ID、携帯送信用画像ID、サーバ送信用画像、サーバ送信用画像IDとともに、写真シール作成装置１のゲーム開始および終了時刻、携帯端末IDを管理サーバ３に送信し、管理サーバ３が携帯端末IDを図１８の位置情報提供サーバ３０１に送信し、位置情報提供サーバ３０１が携帯端末位置情報と携帯端末IDを管理サーバ３に送信するようにしてもよい。情報提供サーバ３０１が管理サーバ３に送信する携帯端末位置情報は、管理サーバ３が情報提供サーバ３０１に送信した携帯端末IDにより特定される携帯端末２の位置を表す情報である。携帯端末位置情報には、その取得時刻の情報も含まれる。
【０２１６】
管理サーバ３においては、写真シール作成装置１から送信されてきたゲーム開始および終了時刻と、情報提供サーバ３０１から送信されてきた携帯端末位置情報の取得時刻が比較され、携帯端末位置情報の取得時刻がゲーム中の時刻であれば、その携帯端末位置情報により表される位置が、写真シール作成装置１の位置として管理される。携帯端末位置情報の取得時刻がゲーム中の時刻である場合、その携帯端末位置情報により表される位置は、写真シール作成装置１の位置と見なすことができる。
【０２１７】
＜適用例＞
［第１の例］
図１８は、以上のようにして管理サーバ３により取得された写真シール作成装置１の設置位置情報に基づいて実現されるサービスの概念を示す図である。
【０２１８】
携帯端末２においては、バックグラウンドで周期的に測位が行われ、測位を行うことによって得られた携帯端末位置情報が、矢印＃５１で示すように測位時刻とともに位置情報提供サーバ３０１に送信されるものとする。位置情報提供サーバ３０１に送信された携帯端末位置情報と測位時刻は矢印＃５２で示すように管理サーバ３に転送される。このような位置情報提供サービスは携帯端末２の携帯通信を管理する携帯電話事業者などにより提供される。
【０２１９】
例えば、携帯端末２の位置情報が位置情報提供サーバ３０１から転送されてきたとき、管理サーバ３のサービス提供部２３３においては、記憶部２１８に記憶されている情報に基づいて、携帯端末２の近くにある写真シール作成装置の検索が行われる。携帯端末２の近くにある写真シール作成装置が見つかったとき、検索により見つかった例えば写真シール作成装置１の情報が矢印＃５３に示すようにして送信される。
【０２２０】
携帯端末２に対して送信される情報には、どの店舗に、どの機種の写真シール作成装置が設置されているかを表す情報などが含まれる。また、携帯端末２の利用者がどの地域で写真シール作成装置を利用したのかを表す利用履歴が管理サーバ３において管理されている場合、利用者がある地域で写真シール作成装置を初めて利用したときに、その地域に関する情報が提供されるようにしてもよい。
【０２２１】
これにより、利用者は、土地勘がない場所にいる場合であっても写真シール作成装置を利用したいと思ったときに設置店舗を確認することができる。また、メーカー側としても、利用者の満足度を向上させることができ、写真シール作成装置の利益率の向上を図ることが可能になる。
【０２２２】
［第２の例］
利用者が利用した写真シール作成装置の設置位置を含む地域（例えば、都道府県、市町村単位の地域）や設置店舗毎の、写真シール作成装置に関する情報を含むメールマガジンやダイレクトメールが管理サーバ３から携帯端末２に送信されるようにしてもよい。メールマガジンやダイレクトメールの送信は、例えば、携帯送信用画像の保存先URLの通知に用いられたメールアドレスを用いて行われる。写真シール作成装置に関する情報には、新機種情報、バージョンアップ情報、キャンペーン情報などが含まれる。
【０２２３】
また、携帯端末２の利用者による写真シール作成装置の利用履歴が管理サーバ３において管理されている場合、利用頻度が高い写真シール作成装置が設置されている店舗に関する情報が他の情報に優先してメールマガジンなどによって送信されるようにしてもよい。利用頻度が高いか否かは、例えば、利用者が写真シール作成装置を最後に利用した日前の１週間以内の利用回数に基づいて判断される。
【０２２４】
利用者が最近利用した写真シール作成装置の設置位置を含む地域毎や設置店舗毎の情報を送信することにより、写真シール作成装置の利用意欲を喚起することができ、利用者のリピート率を向上させることが可能になる。
【０２２５】
［第３の例］
写真シール作成装置の設置位置を含む地域毎や設置店舗毎の広告を写真シール作成装置の外付けモニタ１６に表示させるようにしてもよい。外付けモニタ１６に表示される広告には、写真シール作成装置に関する情報が含まれる。広告の情報は、例えば管理サーバ３からそれぞれの写真シール作成装置に対して配信される。
【０２２６】
また、写真シール作成装置の利用履歴と広告の配信履歴を管理サーバ３において紐付けて管理しておき、利用者が見ていないと判定した広告を管理サーバ３から写真シール作成装置に配信し、外付けモニタ１６に表示させるようにしてもよい。広告の配信時刻と同じ、または近い時刻に利用者が写真シール作成装置を利用していない場合、その広告については、利用者が見ていないと判定される。
【０２２７】
例えば利用履歴には、利用者が利用した写真シール作成装置の筐体IDと利用時刻が含まれ、携帯端末２において管理される。携帯端末２が非接触型ICリーダライタ１９にかざされたとき、利用履歴の情報が携帯端末２から写真シール作成装置１に近接通信によって送信され、写真シール作成装置１経由で、管理サーバ３に送信される。広告の配信履歴には、広告毎に、その広告の配信先となった写真シール作成装置の筐体IDと配信時刻が含まれる。
【０２２８】
利用者が見ていない広告を外付けモニタ１６に表示させることにより、撮影空間３２が空くのを事前接客空間３１で待っている利用者を退屈させないようにすることができる。
【０２２９】
利用者が見ていない広告ではなく、利用者が見たものと同じ広告を外付けモニタ１６に表示させるようにしてもよい。利用者が見たものと同じ広告を表示させることにより、広告の内容を利用者に印象付けることが可能になる。
【０２３０】
［第４の例］
上記第３の例において説明したようにして携帯端末２において管理されている利用履歴を写真シール作成装置１が取得することができる場合、利用頻度に応じて、写真シール作成装置のゲームの進行中に表示される画面の遷移を変更させるようにしてもよい。また、撮影時間、編集時間などの制限時間を変更させるようにしてもよい。上述した撮影処理、編集処理には、制限時間がそれぞれ設定されている。
【０２３１】
利用頻度に応じて写真シール作成装置のゲーム内容が変わるため、オリジナリティに富んだゲームを提供することができ、利用率の向上を図ることができる。
【０２３２】
［第５の例］
図１９は、写真シール作成装置１が別店舗に移設された場合の例を示す図である。上述したようにして、写真シール作成装置１の設置位置情報が管理サーバ３により管理されているものとする。
【０２３３】
図１９の例においては、１２月１日に、ＡＡショップのＢＢ店に来店し、写真シール作成装置１を利用した利用者が持っている携帯端末Ａにより測定された携帯端末位置情報が近接通信によって写真シール作成装置１に送信され、写真シール作成装置１経由で管理サーバ３により取得されている。また、１２月２日に、携帯端末Ｂ，Ｃにより測定された携帯端末位置情報が近接通信によって写真シール作成装置１に送信され、写真シール作成装置１経由で管理サーバ３により取得されている。管理サーバ３においては、１２月１日と１２月２日の間に、写真シール作成装置１の設置位置が移動されていないと判断される。
【０２３４】
１２月２日の営業終了後（写真シール作成装置１の設置店舗の営業終了後）、１２月３日の営業開始前に、ＡＡショップのＢＢ店から、ＡＡショップのＣＣ店に移設されたものとする。
【０２３５】
この場合、１２月３日に、ＡＡショップのＣＣ店に来店し、写真シール作成装置１を利用した利用者が持っている携帯端末Ｄ，Ｅ，Ｆにより測定された携帯端末位置情報が近接通信によって写真シール作成装置１に送信され、写真シール作成装置１経由で管理サーバ３により取得される。また、１２月４日に、携帯端末Ｇ，Ｈにより測定された携帯端末位置情報が近接通信によって写真シール作成装置１に送信され、写真シール作成装置１経由で管理サーバ３により取得される。
【０２３６】
管理サーバ３においては、１２月３日に写真シール作成装置１経由で取得した携帯端末位置情報に基づいて、１２月２日と１２月３日の間に、写真シール作成装置１の設置位置が移動したものとして判断される。一定距離以上の移設が検知された場合に写真シール作成装置１の設置位置が移動したものとして判断されるようにしてもよい。
【０２３７】
この場合、管理サーバ３から写真シール作成装置１に対して、次の写真シール作成装置１の電源ON時に、移設確認画面を表示することが指示される。移設確認画面を表示することの指示には、移設先として管理サーバ３により特定された店舗の情報が含まれる。移設先の店舗は、例えば１２月３日に取得された位置情報と、予め登録されている、各地にある店舗の位置の情報に基づいて特定される。
【０２３８】
写真シール作成装置１の管理者（ＡＡショップのＣＣ店の従業員等）が１２月４日に写真シール作成装置１の電源をONとし、写真シール作成装置１の状態をメンテナンスモードにしたとき、写真シール作成装置１の例えば外付けモニタ１６には、図２０に示すような移設確認画面が自動的に表示される。図２０の例においては、管理サーバ３により特定され、送信されてきた移設先の店舗の情報として、店舗名と店舗コードが表示されている。店舗名と店舗コードの右側には、それぞれ確認ボタンが表示されている。
【０２３９】
移設確認画面は、店舗の従業員または業者が確認ボタンを押して移設確認が済むと表示されなくなる。確認ボタンが押されたとき、そのことを表す情報が写真シール作成装置１から管理サーバ３に送信され、管理サーバ３が管理している写真シール作成装置１の設置位置情報が更新される。
【０２４０】
これにより、管理サーバ３は、写真シール作成装置の移設があった場合であっても、設置位置の情報を移設先に応じて更新することができる。また、上述したようにしてメールマガジンや広告などの情報を地域毎に配信する場合であっても、移設後の最新の位置情報に基づいて情報を配信することができる。
【０２４１】
＜第４の実施の形態＞
［情報管理システムの構成］
図２１は、本発明の第４の実施形態に係る情報管理システムの構成例を示す図である。
【０２４２】
この例においては、携帯端末２に非接触型ICが搭載されていないものとする。近年、スマートフォンと呼ばれる、アプリケーションを追加して機能強化やカスタマイズができ、ハードウェアに依存するネイティブアプリケーションも利用できるような機能を備えた高機能携帯端末の普及率が上がってきている。高機能携帯端末には非接触型ICを搭載したものが少なく、その場合、図１、図１４、および図１６を参照して説明した方法では携帯端末位置情報を管理サーバ３が取得することができない。
【０２４３】
図２１の情報管理システムにおける一連の情報の流れについて説明する。
【０２４４】
写真シール作成装置１の利用を開始する前、携帯端末２の利用者は、管理サーバ３から位置管理アプリケーションを矢印＃６１に示すようにダウンロードし、携帯端末２にインストールする。携帯端末２においては、位置の測定が所定の周期で繰り返し行われ、測定を行うことによって得られた位置情報と測位時刻が対応付けて管理されている。
【０２４５】
携帯端末２の利用者が写真シール作成装置１の設置店舗に入り、代金を投入するなどして写真シール作成装置１の利用を開始した場合、写真シール作成装置１は、シール紙を提供するまでの一連のゲームを開始し、携帯端末２の利用者の操作に応じて、事前接客処理、撮影処理、編集処理、印刷処理等を行う。携帯端末２の利用者は、印刷処理によって画像が印刷されたシール紙を受け取り、一連のゲームを終了することになる。
【０２４６】
写真シール作成装置１は、事前接客時、入力画面を外付けモニタ１６に表示し、携帯端末２の利用者に、携帯端末２のメールアドレスの入力を要求する。要求に応じてメールアドレスが入力されたとき、破線矢印＃６２で示すように、携帯端末２のメールアドレスが写真シール作成装置１により取得される。
【０２４７】
また、写真シール作成装置１は、編集処理時、矢印＃６３で示すように、サーバ送信用画像、サーバ送信用画像ID、サーバ送信用画像の撮影日時、筐体ID、携帯端末２のメールアドレスを管理サーバ３に送信する。また、写真シール作成装置１は、サーバ送信用画像等の情報を送信した後、サーバ送信用画像の中から利用者により選択された携帯送信用画像のIDである携帯送信用画像IDを管理サーバ３に送信する。
【０２４８】
管理サーバ３は、写真シール作成装置１から先に送信されてきたサーバ送信用画像、サーバ送信用画像ID、撮影日時、筐体ID、およびメールアドレスを受信する。また、管理サーバ３は、それに続けて写真シール作成装置１から送信されてきた携帯送信用画像IDを受信する。
【０２４９】
また、管理サーバ３は、写真シール作成装置１から送信されてきたサーバ送信用画像のうち、携帯送信用画像として選択された画像を携帯送信用画像IDに基づいて特定し、携帯送信用画像を保存する。
【０２５０】
管理サーバ３は、矢印＃６４で示すように、携帯送信用画像の保存場所を表す保存先URLを含む電子メールを、写真シール作成装置１から送信されてきたメールアドレスに基づいて携帯端末２に送信する。
【０２５１】
管理サーバ３から送信されてきた電子メールを受信した携帯端末２は、電子メールに含まれる保存先URLに基づいて携帯送信用画像の保存場所にアクセスし、携帯送信用画像を表示したり、ダウンロードしたりする。
【０２５２】
携帯端末２は、表示等を行った携帯送信用画像の携帯送信用画像IDと撮影日時の送信を管理サーバ３に要求し、その要求に応じて矢印＃６５で示すようにして送信されてきた携帯送信用画像IDと撮影日時を受信する。
【０２５３】
携帯端末２は、携帯送信用画像IDと撮影日時を受信したとき、受信した撮影日時と同じ、または近い日時に測定して得られた携帯端末位置情報を、繰り返し測位を行うことによって得られた携帯端末位置情報の中から検索する。携帯端末２は、矢印＃６６で示すように、検索によって特定した携帯端末位置情報を、携帯送信用画像IDとともに管理サーバ３に送信する。
【０２５４】
管理サーバ３は、携帯端末２から送信されてきた携帯送信用画像IDと携帯端末位置情報を受信し、携帯端末２から送信されてきた携帯送信用画像IDと同じIDとともに写真シール作成装置１から送信されてきた筐体IDを特定する。管理サーバ３は、携帯端末２から送信されてきた携帯端末位置情報を写真シール作成装置１の設置位置情報として、特定した筐体IDと紐付けて保存し、管理する。
【０２５５】
これにより、携帯端末２に非接触型ICが搭載されていない場合であっても、管理サーバ３は、携帯端末２から取得した携帯端末位置情報に基づいて、写真シール作成装置１の正確な設置位置の情報を特定することが可能になる。
【０２５６】
［情報管理システムの動作］
ここで、図２２、図２３のフローチャートを参照して、図２１の情報管理システムの一連の処理について説明する。上述した説明と重複する説明については適宜省略する。写真シール作成装置１、管理サーバ３の構成は図２乃至図１１の構成と同じである。携帯端末２の構成は、非接触型ICが搭載されていない点を除いて図１２の構成と同じである。
【０２５７】
ステップＳ２２１において、写真シール作成装置１の硬貨処理部１２１は、硬貨が投入されたか否かを判定し、投入されたと判定するまで待機する。硬貨が投入される前、ステップＳ２６１において、携帯端末２のGPSセンサ２４４により位置の測定が繰り返し行われている。繰り返し測定が行われることによって得られた携帯端末位置情報は、測位時刻と対応付けて記憶部２４７に記憶される。
【０２５８】
硬貨が投入されたとステップＳ２２１において判定された場合、写真シール作成装置１の事前接客処理部２０１は、ステップＳ２２２において事前接客処理を行う。事前接客処理により、例えば携帯送信の機能を利用することが利用者により選択され、メールアドレスの入力画面を外付けモニタ１６に表示することに応じてメールアドレスが入力される。携帯端末２の利用者により入力された携帯端末２のメールアドレスは事前接客処理部２０１により取得され、編集処理部２０３に供給される。
【０２５９】
ステップＳ２２３において、撮影処理部２０２は撮影処理を行い、撮影画像の中から選択された編集対象画像を編集処理部２０３に出力する。
【０２６０】
ステップＳ２２４において、編集処理部２０３は、編集画面を表示し、利用者の操作に応じて編集処理を行う。また、編集処理部２０３は、編集対象画像をサーバ送信用画像とし、それぞれのサーバ送信用画像にIDを設定する。編集処理部２０３は、通信部１０３を制御し、サーバ送信用画像ID、サーバ送信用画像、サーバ送信用画像の撮影日時、携帯端末２のメールアドレス、および、記憶部１０２に記憶されている筐体IDを管理サーバ３に送信する。
【０２６１】
ステップＳ２２５において、編集処理部２０３は、サーバ送信用画像をタブレット内蔵モニタ６２に表示し、その中から所定の数の画像を携帯送信用画像として利用者に選択させる。
【０２６２】
ステップＳ２２６において、編集処理部２０３は、通信部１０３を制御し、携帯送信用画像IDを管理サーバ３に送信する。
【０２６３】
ステップＳ２２７において、印刷処理部２０４は、プリンタ１１４を制御し、編集処理により得られた編集済みの画像をシール紙１６２に印刷し、印刷が終了したとき、ステップＳ２２８において写真シール排出口７１に排出する。
【０２６４】
一方、ステップＳ２４１において、管理サーバ３の通信部２１９は、写真シール作成装置１から送信されてきたサーバ送信用画像ID、サーバ送信用画像、撮影日時、メールアドレス、および筐体IDを受信する。
【０２６５】
また、ステップＳ２４２において、通信部２１９は、写真シール作成装置１から送信されてきた携帯送信用画像IDを受信する。
【０２６６】
ステップＳ２４３において、携帯送信用画像管理部２３１は、サーバ送信用画像のうち、携帯送信用画像として選択された画像を写真シール作成装置１から送信されてきた携帯送信用画像IDに基づいて特定する。携帯送信用画像管理部２３１は、URLを割り当て、携帯送信用画像を撮影日時の情報とともに記憶部２１８に記憶させる。
【０２６７】
ステップＳ２４４において、携帯送信用画像管理部２３１は、通信部２１９を制御し、携帯送信用画像の保存場所を表す保存先URLを含む電子メールを、写真シール作成装置１から送信されてきた携帯端末２のメールアドレスに基づいて携帯端末２に送信する。
【０２６８】
ステップＳ２６２において、携帯端末２の通信部２４３は、管理サーバ３から送信されてきた電子メールを受信し、制御部２４１に出力する。
【０２６９】
ステップＳ２６３において、制御部２４１は、電子メールに含まれる保存先URLへのアクセスが指示された場合、通信部２４３を制御して管理サーバ３にアクセスし、保存先URLにより特定される保存場所に記憶されている携帯送信用画像を受信して表示する。制御部２４１は、利用者による操作に応じて携帯送信用画像をダウンロードし、記憶部２４７に記憶させる。
【０２７０】
ステップＳ２６４において、制御部２４１は、管理サーバ３から予めダウンロードし、インストールしておいた位置管理アプリケーションを起動させる。
【０２７１】
ステップＳ２６５において、制御部２４１は、位置管理アプリケーションの機能によって、通信部２４３を制御して管理サーバ３にアクセスし、表示等を行った携帯送信用画像の携帯送信用画像IDと撮影日時の送信を要求する。
【０２７２】
ステップＳ２４５において、管理サーバ３の通信部２１９は、携帯端末２からの要求を受信し、ステップＳ２４６において、携帯送信用画像管理部２３１により管理されている携帯送信用画像IDと撮影日時を送信する。
【０２７３】
ステップＳ２６６において、携帯端末２の通信部２４３は、管理サーバ３から送信されてきた携帯送信用画像IDと撮影日時を受信し、制御部２４１に出力する。
【０２７４】
ステップＳ２６７において、制御部２４１は、記憶部２４７に記憶されている情報を参照し、管理サーバ３から送信されてきた撮影日時と同じ、または近い日時に測位して得られた携帯端末位置情報、すなわち、携帯送信用画像の撮影日時における携帯端末２の位置を表す携帯端末位置情報を特定する。
【０２７５】
ステップＳ２６８において、制御部２４１は、通信部２４３を制御し、携帯送信用画像の撮影日時における携帯端末２の位置を表す携帯端末位置情報を、携帯送信用画像IDとともに管理サーバ３に送信する。
【０２７６】
ステップＳ２４７において、管理サーバ３の通信部２１９は、携帯端末２から送信されてきた携帯端末位置情報と携帯送信用画像IDを受信する。
【０２７７】
ステップＳ２４８において、管理サーバ３の位置管理部２３２は、携帯端末２から送信されてきた携帯送信用画像IDと同じIDとともに写真シール作成装置１から送信されてきた筐体IDを特定する。
【０２７８】
ステップＳ２４９において、位置管理部２３２は、携帯端末２から送信されてきた携帯端末位置情報を写真シール作成装置１の設置位置情報とし、特定した筐体IDと紐付けて記憶部２１８に記憶させて管理する。
【０２７９】
以上の処理により、携帯端末２に非接触型ICが搭載されていない場合であっても、管理サーバ３は、携帯端末２から取得した携帯端末位置情報に基づいて、写真シール作成装置１の正確な設置位置の情報を得ることが可能になる。
【０２８０】
図２２、図２３の処理においては、携帯端末２から送信されてきた携帯送信用画像IDに基づいて、携帯端末位置情報と紐付けて登録する筐体IDが管理サーバ３により特定されるものとしたが（ステップＳ２４８）、携帯送信用画像IDに代えてメールアドレスが携帯端末２から管理サーバ３に送信され、携帯端末２から送信されてきたメールアドレスと同じメールアドレスとともに写真シール作成装置１から送信されてきた筐体IDが特定され、携帯端末位置情報と紐付けて管理されるようにしてもよい。
【０２８１】
また、携帯送信用画像IDやメールアドレスが携帯端末２から管理サーバ３に送信されるのではなく、携帯送信用画像の撮影日時に基づいて上述したようにして携帯端末２において特定された携帯端末位置情報が写真シール作成装置１の筐体IDとともに携帯端末２から管理サーバ３に送信され、携帯端末位置情報と筐体IDが紐付けて管理サーバ３において管理されるようにしてもよい。  
【０２８２】
図２４は、図２１の情報管理システムにおける一連の情報の流れの変形例について説明する図である。図２４の例においては、管理サーバ３から携帯端末２に対して携帯送信用画像IDに代えて筐体IDが送信される点（矢印＃６５）と、携帯端末２から管理サーバ３に対して携帯送信用画像IDに代えて筐体IDが送信される点（矢印＃６６）が、図２１を参照して説明した情報の流れと異なる。
【０２８３】
写真シール作成装置１の利用を開始する前、携帯端末２の利用者は、管理サーバ３から位置管理アプリケーションを矢印＃６１に示すようにダウンロードし、携帯端末２にインストールする。携帯端末２においては、位置の測定が所定の周期で繰り返し行われ、測定を行うことによって得られた位置情報と測位時刻が対応付けて管理されている。
【０２８４】
携帯端末２の利用者が写真シール作成装置１の設置店舗に入り、代金を投入するなどして写真シール作成装置１の利用を開始した場合、写真シール作成装置１は、シール紙を提供するまでの一連のゲームを開始し、携帯端末２の利用者の操作に応じて、事前接客処理、撮影処理、編集処理、印刷処理等を行う。携帯端末２の利用者は、印刷処理によって画像が印刷されたシール紙を受け取り、一連のゲームを終了することになる。
【０２８５】
写真シール作成装置１は、事前接客時、入力画面を外付けモニタ１６に表示し、携帯端末２の利用者に、携帯端末２のメールアドレスの入力を要求する。要求に応じてメールアドレスが入力されたとき、破線矢印＃６２で示すように、携帯端末２のメールアドレスが写真シール作成装置１により取得される。
【０２８６】
また、写真シール作成装置１は、編集処理時、矢印＃６３で示すように、サーバ送信用画像、サーバ送信用画像ID、サーバ送信用画像の撮影日時、筐体ID、携帯端末２のメールアドレスを管理サーバ３に送信する。また、写真シール作成装置１は、サーバ送信用画像等の情報を送信した後、サーバ送信用画像の中から利用者により選択された携帯送信用画像のIDである携帯送信用画像IDを管理サーバ３に送信する。
【０２８７】
管理サーバ３は、写真シール作成装置１から先に送信されてきたサーバ送信用画像、サーバ送信用画像ID、撮影日時、筐体ID、およびメールアドレスを受信する。また、管理サーバ３は、それに続けて写真シール作成装置１から送信されてきた携帯送信用画像IDを受信する。
【０２８８】
また、管理サーバ３は、写真シール作成装置１から送信されてきたサーバ送信用画像のうち、携帯送信用画像として選択された画像を携帯送信用画像IDに基づいて特定し、携帯送信用画像を保存する。
【０２８９】
管理サーバ３は、矢印＃６４で示すように、携帯送信用画像の保存場所を表す保存先URLを含む電子メールを、写真シール作成装置１から送信されてきたメールアドレスに基づいて携帯端末２に送信する。
【０２９０】
管理サーバ３から送信されてきた電子メールを受信した携帯端末２は、電子メールに含まれる保存先URLに基づいて携帯送信用画像の保存場所にアクセスし、携帯送信用画像を表示したり、ダウンロードしたりする。
【０２９１】
携帯端末２は、表示等を行った携帯送信用画像の撮影日時と、その携帯送信用画像を管理サーバ３に対して送信してきた写真シール作成装置である写真シール作成装置１の筐体IDの送信を管理サーバ３に要求し、その要求に応じて矢印＃６５で示すようにして送信されてきた撮影日時と筐体IDを受信する。
【０２９２】
携帯端末２は、撮影日時と筐体IDを受信したとき、受信した撮影日時と同じ、または近い日時に測定して得られた携帯端末位置情報を、繰り返し測位を行うことによって得られた携帯端末位置情報の中から検索する。携帯端末２は、矢印＃６６で示すように、検索によって特定した携帯端末位置情報を、管理サーバ３から送信されてきた筐体IDとともに管理サーバ３に送信する。
【０２９３】
管理サーバ３は、携帯端末２から送信されてきた筐体IDと携帯端末位置情報を受信し、携帯端末２から送信されてきた携帯端末位置情報を写真シール作成装置１の設置位置情報として、その携帯端末位置情報とともに送信されてきた筐体IDと紐付けて保存し、管理する。
【０２９４】
これによっても、管理サーバ３は、非接触型ICが搭載されていない携帯端末２から取得した携帯端末位置情報に基づいて、写真シール作成装置１の正確な設置位置の情報を特定することが可能になる。また、図２１の場合と較べて、個人の特定に用いられるおそれがある携帯送信用画像IDを携帯端末２から管理サーバ３に送信する必要がないため、情報漏洩のリスクを低減することが可能になる。
【０２９５】
なお、携帯端末２において管理されている複数の携帯端末位置情報が携帯端末２から管理サーバ３に送信されるようにしてもよい。この場合、それぞれの携帯端末位置情報の測定日時と携帯送信用画像の撮影日時との時間差が携帯端末２において求められ、時間差を表す情報が携帯端末位置情報とともに携帯端末２から管理サーバ３に送信される。管理サーバ３においては、時間差が最も小さい携帯端末位置情報が選択され、写真シール作成装置１の設置位置情報として管理される。これにより、管理サーバ３は、より精度の高い位置情報を把握することが可能になる。
【０２９６】
＜変形例＞
写真シール作成装置１にGPSセンサを設け、写真シール作成装置１の正確な設置位置の情報が写真シール作成装置１から管理サーバ３に自動的に送信されるようにしてもよい。この場合、例えば、写真シール作成装置１のGPSセンサにより測定された位置情報は、上述したようにしてサーバ送信用画像などの情報とともに管理サーバ３に送信される。
【０２９７】
これにより、携帯端末２にGPSセンサが設けられていない場合であっても、管理サーバ３は、写真シール作成装置１の正確な位置情報を取得することができる。また、携帯端末２の通信機能に障害が生じた場合でも、管理サーバ３は、写真シール作成装置１の正確な位置情報を取得することができる。
【０２９８】
また、携帯端末２において位置管理アプリケーションが起動するタイミングが、写真シール作成装置１からの情報を受信したタイミング（図１５のステップＳ７３、図１７のステップＳ１１３）、または、管理サーバ３からの情報を受信したタイミング（図２３のステップＳ２６４）であるものとしたが、利用者による指示があったタイミングとしてもよい。
【０２９９】
また、上述したように、筐体IDや位置情報を送信する機能だけでなく、次のような機能が位置管理アプリケーションに用意されるようにしてもよい。写真シール作成装置１や携帯端末２で楽しめる機能を位置管理アプリケーションに用意しておくことによって、利用者が積極的にダウンロードして携帯端末２にインストールしておく動機付けになる。
【０３００】
ａ．写真シール作成装置１のゲームの利用履歴を取得し、取得した利用履歴を用いて写真シール作成装置１や携帯端末２での遊びを提供する機能。
ｂ．携帯送信用画像を閲覧・ダウンロードできる機能や、写真シール作成装置１の利用回数をカウントしておき、所定回数に達した場合に、携帯送信用画像を追加でダウンロードできる機能。
ｃ．携帯端末２の待受画面に使用する携帯送信用画像を自動的に変更する機能。
ｄ．写真シール作成装置１の待ち時間が長い場合に、その店舗付近の空き店舗情報（空き店舗にある写真シール作成装置の機種も含む）や新機種入荷情報、バージョンアップ機種情報などを管理サーバ３にアクセスして確認できる機能。
ｅ．アンケートを表示し、アンケートに回答した利用者に特典を提供する機能。
【０３０１】
以上においては、メールアドレスが写真シール作成装置１経由で携帯端末２から管理サーバ３に送信されるものとしたが、位置管理アプリケーションの機能によって、携帯端末２から管理サーバ３に直接送信されるようにしてもよい。
【０３０２】
本発明の実施の形態は、上述した実施の形態に限定されるものではなく、本発明の要旨を逸脱しない範囲において種々の変更が可能である。
【符号の説明】
【０３０３】
１  写真シール作成装置，  ２  携帯端末，  ３  管理サーバ，  １２  撮影ユニット，  １３  編集ユニット，  １０１  制御部，  １１１  事前接客部，  １１２  撮影部，  １１３  編集部，  ２０１  事前接客処理部，  ２０２  撮影処理部，  ２０３  編集処理部，  ２０４  印刷処理部，  ２０５  事後接客処理部
【図１】
0005339159.tif 000002
【図２】
0005339159.tif 000003
【図３】
0005339159.tif 000004
【図４】
0005339159.tif 000005
【図５】
0005339159.tif 000006
【図６】
0005339159.tif 000007
【図７】
0005339159.tif 000008
【図８】
0005339159.tif 000009
【図９】
0005339159.tif 000010
【図１０】
0005339159.tif 000011
【図１１】
0005339159.tif 000012
【図１２】
0005339159.tif 000013
【図１３】
0005339159.tif 000014
【図１４】
0005339159.tif 000015
【図１５】
0005339159.tif 000016
【図１６】
0005339159.tif 000017
【図１７】
0005339159.tif 000018
【図１８】
0005339159.tif 000019
【図１９】
0005339159.tif 000020
【図２０】
0005339159.tif 000021
【図２１】
0005339159.tif 000022
【図２２】
0005339159.tif 000023
【図２３】
0005339159.tif 000024
【図２４】
0005339159.tif 000025